(57)【特許請求の範囲】
【請求項１】
記録媒体に対してファイル単位で情報を記録して管理するもので、記録されているファイルについてファイルナンバにより管理する記録管理手段と、
上記記録媒体に記録されている、上記ファイルナンバが付されるファイルごとに対応したサムネイル画像を生成するサムネイル画像生成手段と、
上記ファイルに対して所定段階による重要度を設定する重要度設定手段と、
円周方向に沿って回転操作が可能に設けられる回転式ダイヤル操作子と、
上記回転式ダイヤル操作子に対して回転操作が行われた場合に、回転方向及び回転角度に基づいて回転ステップ数を検出する回転ステップ数検出手段と、
上記回転ステップ数が検出されたときに対応する、上記回転ダイヤル操作子に対して行われた操作時間長を検出し、この操作時間長が所定以内であり、かつ、この操作時間長において検出された回転ステップ数が所定以上であるか否かについて判別するもので、上記回転ダイヤル操作子に対して行われた複数回の回転操作の間の休止時間が所定時間以内である場合には、これらの複数回の回転操作を、連続した回転操作として扱って上記操作時間長を検出するようにされる操作時間長判別手段と、
上記操作時間長が所定以内であり、かつ、この操作時間長において検出された回転ステップ数が所定以上であると上記操作時間長判別手段により、判別された場合には、サムネイル画像の配列表示においてそれまで選択されていたサムネイル画像が対応するファイルに付されるファイルナンバとしての数値に対して、上記回転ステップ数検出手段により検出された回転ステップ数分の数値を加算するようにして基準ファイルナンバを設定し、この基準ファイルナンバより所定数前のファイルナンバから、この基準ファイルナンバより所定数後のファイルナンバまでによるファイルナンバ範囲を設定し、この設定されたファイルナンバ範囲に含まれるファイルナンバのうちから、最も高い重要度が設定されているファイルに付されているファイルナンバを１つ決定し、
上記操作時間長が所定以内であり、かつ、この操作時間長において検出された回転ステップ数が所定以上ではないと上記操作時間長判別手段により判別された場合には、上記基準ファイルナンバを決定されたファイルナンバとする、ファイルナンバ決定手段と、
上記サムネイル表示として、上記サムネイル画像を、上記ファイルに設定される所定の順序に対応したファイルナンバ順により、表示画面部に配列表示するももので、上記ファイルナンバ決定手段によりファイルナンバが決定されたことに応じては、この決定されたファイルナンバに対応するサムネイル画像が表示され、かつ、選択された状態となるようにして、上記サムネイル表示が行われるようにする表示制御手段と、
を備えるサムネイル表示装置。
【請求項２】
上記ファイルナンバ決定手段は、
上記最も高い重要度が設定されているファイルナンバが複数の場合には、これら複数の最も高い重要度が設定されているファイルに付されるファイルナンバのうちから、上記基準ファイルナンバからのファイルナンバとしての数値の遠近、及び／又はファイルナンバとしての数値の大小に基づいて、１つのファイルナンバを決定し、上記ファイルナンバ範囲に含まれるファイルナンバの全てについいて同じ重要度が設定されている場合には、上記基準ファイルナンバを決定されたファイルナンバとする、
請求項１に記載のサムネイル表示装置。
【発明の詳細な説明】
【０００１】
【発明の属する技術分野】
本発明は、例えば所定の記録媒体にファイル単位で情報を管理して記録している電子機器に対応し、このファイルのサムネイル画像を表示するサムネイル表示装置に関するものである。
【０００２】
【従来の技術】
近年、カメラ等の撮像装置と、ビデオデッキ等の記録再生装置が一体化されたビデオカメラとして、例えばデジタルデータにより撮像画像を記録再生することのできるものが普及してきている。
そして、このようなビデオカメラに備えられるビデオデッキとして、所定のディスク状記録媒体に対応して記録再生が可能な記録再生装置を搭載する構成も考えられている。このようにビデオデッキとして、ディスクに対応した記録再生装置を採用すれば、ランダムアクセスが可能となるため、例えば、ディスクに記録されているデータをファイル単位で管理しておくことで、所望のファイルを呼び出して迅速に再生することなどが可能となる。
【０００３】
このようなことを背景とすると、ディスクに記録されたファイルのうちから所望のファイルを選択するためのファイル検索機能としては使い勝手の良いものが要求されることになる。
【０００４】
このようなファイル検索のための構成としては、例えば、いわゆるジョグダイヤルを用いることが考えられる。ここでいうジョグダイヤルとは、周知のように、ユーザの操作に応じて円周方向に沿って正／逆方向に回転可能な操作子とされ、例えば所定回転角度の回転ステップごとにクリック感が得られるような機構を有している。また、ジョグダイヤルに対する操作対象となるパラメータ値の変化は、１回転ステップあたり１値のインクリメント／デクリメントが対応するものとされているのが通常である。
そして、このようなジョグダイヤルに対する操作を行うことで例えば次のようにしてファイル検索を行うことができる。
【０００５】
例えば、ビデオカメラの表示部において、現在或るナンバのファイルが選択されていることが所定の表示形態によって示されている状態のもとで、ユーザがジョグダイヤルを所要の回転方向に回転させる操作を行っていったとする。すると、この回転方向に沿って得られたクリック数（回転ステップ数）に応じて、ファイルナンバがアップカウント、又はダウンカウントされるようにして、選択されるファイルのナンバが変更されていくものである。
そして、ユーザは、所望のファイルナンバが選択されたところで、ジョグダイヤルの操作を停止させる。
【０００６】
上述のようなジョグダイヤルによる検索操作は、例えば、キーを押圧操作してファイルを送っていくような操作よりも、単にダイヤルを回すことで、比較的迅速に目的の選択値を得ることが出来ると共に、その回転ステップ数（クリック感が得られた数）がファイルの送り数にも相当するために感覚的に操作が行えるという利点を有している。
【０００７】
【発明が解決しようとする課題】
ところで、上記したビデオカメラ装置などでは、例えば１ファイルが短時間の撮影であったりした場合には、１つのディスクに相当多数のファイルが記録されることが想定される。
【０００８】
そこで、ジョグダイヤルを使用したファイル検索として、例えば現在選択されているファイルと目的のファイルとのファイルナンバが相当に離れているような場合を考えてみる。
このような場合には、ユーザは、目的のファイルに到達できる程度の適当な回転ステップ数がほぼ得られる程度に、ジョグダイヤルを所望の方向に対して、比較的短時間のうちに複数回回転させるといった操作（ここでは、これも１回の回転操作として扱う）を行うのが普通であるが、このような１回の回転操作のみで以て、正確に所望のファイルを検索することは実際には困難である。
例えば実際には、或る程度適当にジョグダイヤルを多く回転させて、ほぼ目的のファイルに近づいたら、この後、例えば表示部のファイル選択状況を注意深く見ながら、微調整的に少量回転操作を行って最終的に目的のファイルに到達するといった、比較的煩わしい操作手順を追わねばならない。
【０００９】
このような問題は、先にも述べたように、記録媒体に記録されたファイルが多くなるのに従って、ジョグダイヤルを回転させる必要回数も増えるために、顕著なものとなってくる。
【００１０】
【課題を解決するための手段】
そこで本発明は上記した課題を考慮して、ジョグダイヤルの操作によってファイル検索を行う場合に、ジョグダイヤルを敢えて正確に操作することなく、或る程度適当に操作を行ったとしても、できるだけ目的のファイルを正確に検索できるようにして、機器の操作性が向上されるようにすることを目的とする。
【００１１】
このため、本発明ではサムネイル表示装置について次のように構成する。
つまり、記録媒体に対してファイル単位で情報を記録して管理するもので、記録されているファイルについてファイルナンバにより管理する記録管理手段と、上記記録媒体に記録されている、上記ファイルナンバが付されるファイルごとに対応したサムネイル画像を生成するサムネイル画像生成手段と、上記ファイルに対して所定段階による重要度を設定する重要度設定手段と、円周方向に沿って回転操作が可能に設けられる回転式ダイヤル操作子と、上記回転式ダイヤル操作子に対して回転操作が行われた場合に、回転方向及び回転角度に基づいて回転ステップ数を検出する回転ステップ数検出手段と、上記回転ステップ数が検出されたときに対応する、上記回転ダイヤル操作子に対して行われた操作時間長を検出し、この操作時間長が所定以内であり、かつ、この操作時間長において検出された回転ステップ数が所定以上であるか否かについて判別するもので、上記回転ダイヤル操作子に対して行われた複数回の回転操作の間の休止時間が所定時間以内である場合には、これらの複数回の回転操作を、連続した回転操作として扱って上記操作時間長を検出するようにされる操作時間長判別手段と、上記操作時間長が所定以内であり、かつ、この操作時間長において検出された回転ステップ数が所定以上であると上記操作時間長判別手段により、判別された場合には、サムネイル画像の配列表示においてそれまで選択されていたサムネイル画像が対応するファイルに付されるファイルナンバとしての数値に対して、上記回転ステップ数検出手段により検出された回転ステップ数分の数値を加算するようにして基準ファイルナンバを設定し、この基準ファイルナンバより所定数前のファイルナンバから、この基準ファイルナンバより所定数後のファイルナンバまでによるファイルナンバ範囲を設定し、この設定されたファイルナンバ範囲に含まれるファイルナンバのうちから、最も高い重要度が設定されているファイルに付されているファイルナンバを１つ決定し、
上記操作時間長が所定以内であり、かつ、この操作時間長において検出された回転ステップ数が所定以上ではないと上記操作時間長判別手段により判別された場合には、上記基準ファイルナンバを決定されたファイルナンバとする、ファイルナンバ決定手段と、
上記サムネイル表示として、上記サムネイル画像を、上記ファイルに設定される所定の順序に対応したファイルナンバ順により、表示画面部に配列表示するももので、上記ファイルナンバ決定手段によりファイルナンバが決定されたことに応じては、この決定されたファイルナンバに対応するサムネイル画像が表示され、かつ、選択された状態となるようにして、上記サムネイル表示が行われるようにする表示制御手段とを備えることした。
【００１２】
上記構成によれば、検索対象となるファイルに対しては所定段階による重要度が与えられているものとされる。ここでの重要度が高いファイルとは、検索対象となる可能性の高いファイルを意味する。
そして、上記構成のようにして、或る所定時間内でもって回転ダイヤル操作子に対する操作が行われたとされた場合には、その回転ダイヤル操作子の回転操作方向と回転ステップとに基づいて得られる或るファイルナンバ範囲内で、最も重要度が高いとされるファイルナンバを有するファイルを新規の選択ファイルとして決定するようにされる。これによって、ユーザが重要度の高いファイルを検索対象としている限りは、特に正確に回転ダイヤル操作子に対する回転操作を行わなくとも、目的としているファイルが検索される可能性は高いものとなる。
【００１３】
【発明の実施の形態】
以下、本発明の実施の形態のファイル検索装置について説明していく。
本実施の形態のファイル検索装置としては、カメラ装置部と画像（静止画又は動画）及び音声等の記録再生が可能な記録再生装置部とが一体化された可搬型のビデオカメラに搭載されている場合を例にあげる。また、本実施の形態のビデオカメラに搭載される記録再生装置部は、光磁気ディスクの一種として知られている、いわゆるミニディスクに対応してデータを記録再生する構成を採るものとされる。
つまり、本実施の形態のファイル検索装置は、上記ビデオカメラに搭載される記録再生装置部によりディスクに記録された画像，音声ファイルを検索するためのものとされる。
説明は次の順序で行う。
１．ディスクフォーマット
２．ビデオカメラの外観構成
３．ビデオカメラの内部構成
４．メディアドライブ部の構成
５．本実施の形態に対応するディスク構造例
６．サムネイル画像生成処理
７．スクリプト
８．サムネイル表示
９．重要度の指定
１０．ファイル検索
１０−１．動作の概要
１０−２．処理動作
１１．変形例
１１−１．第１の変形例
１１−２．第２の変形例
【００１４】
１．ディスクフォーマット
本例のビデオカメラに搭載される記録再生装置部は、ミニディスク（光磁気ディスク）に対応してデータの記録／再生を行う、ＭＤデータといわれるフォーマットに対応しているものとされる。このＭＤデータフォーマットとしては、ＭＤ−ＤＡＴＡ１とＭＤ−ＤＡＴＡ２といわれる２種類のフォーマットが開発されているが、本例のビデオカメラは、ＭＤ−ＤＡＴＡ１よりも高密度記録が可能とされるＭＤ−ＤＡＴＡ２のフォーマットに対応して記録再生を行うものとされている。そこで、先ずＭＤ−ＤＡＴＡ２のディスクフォーマットについて説明する。
【００１５】
図１及び図２は、ＭＤ−ＤＡＴＡ２としてのディスクのトラック構造例を概念的に示している。図２（ａ）（ｂ）は、それぞれ図１の破線Ａで括った部分を拡大して示す断面図及び平面図である。
これらの図に示すように、ディスク面に対してはウォブル（蛇行）が与えられたウォブルドグルーブＷＧと、ウォブルが与えられていないノンウォブルドグルーブＮＷＧとの２種類のグルーブ（溝）が予め形成される。そして、これらウォブルドグルーブＷＧとノンウォブルドグルーブＮＷＧは、その間にランドＬｄを形成するようにしてディスク上において２重のスパイラル状に存在する。
【００１６】
ＭＤ−ＤＡＴＡ２フォーマットでは、ランドＬｄが記録トラック（データが記録されるトラック）として利用されるのであるが、上記のようにしてウォブルドグルーブＷＧとノンウォブルドグルーブＮＷＧが形成されることから、記録トラックとしてもトラックＴｒ・Ａ，Ｔｒ・Ｂの２つのトラックがそれぞれ独立して、２重のスパイラル（ダブルスパイラル）状に形成されることになる。
トラックＴｒ・Ａは、ディスク外周側にウォブルドグルーブＷＧが位置し、ディスク内周側にノンウォブルドグルーブＮＷＧが位置するトラックとなる。
これに対してトラックＴｒ・Ｂは、ディスク内周側にウォブルドグルーブＷＧが位置し、ディスク外周側にノンウォブルドグルーブＮＷＧが位置するトラックとなる。
つまり、トラックＴｒ・Ａに対してはディスク外周側の片側のみにウォブルが形成され、トラックＴｒ・Ｂとしてはディスク内周側の片側のみにウォブルが形成されるようにしたものとみることができる。
この場合、トラックピッチは、互いに隣接するトラックＴｒ・ＡとトラックＴｒ・Ｂの各センター間の距離となり、図２（ｂ）に示すようにトラックピッチは０．９５μｍとされている。
【００１７】
ここで、ウォブルドグルーブＷＧとしてのグルーブに形成されたウォブルは、ディスク上の物理アドレスがＦＭ変調＋バイフェーズ変調によりエンコードされた信号に基づいて形成されているものである。このため、記録再生時においてウォブルドグルーブＷＧに与えられたウォブリングから得られる再生情報を復調処理することで、ディスク上の物理アドレスを抽出することが可能となる。
また、ウォブルドグルーブＷＧとしてのアドレス情報は、トラックＴｒ・Ａ，Ｔｒ・Ｂに対して共通に有効なものとされる。つまり、ウォブルドグルーブＷＧを挟んで内周に位置するトラックＴｒ・Ａと、外周に位置するトラックＴｒ・Ｂは、そのウォブルドグルーブＷＧに与えられたウォブリングによるアドレス情報を共有するようにされる。
なお、このようなアドレッシング方式はインターレースアドレッシング方式ともいわれる。このインターレースアドレッシング方式を採用することで、例えば、隣接するウォブル間のクロストークを抑制した上でトラックピッチを小さくすることが可能となるものである。また、グルーブに対してウォブルを形成することでアドレスを記録する方式については、ＡＤＩＰ(Adress In Pregroove) 方式ともいう。
【００１８】
また、上記のようにして同一のアドレス情報を共有するトラックＴｒ・Ａ，Ｔｒ・Ｂの何れをトレースしているのかという識別は次のようにして行うことができる。
例えば３ビーム方式を応用し、メインビームがトラック（ランドＬｄ）をトレースしている状態では、残る２つのサイドビームは、上記メインビームがトレースしているトラックの両サイドに位置するグルーブをトレースしているようにすることが考えられる。
【００１９】
図２（ｂ）には、具体例として、メインビームスポットＳＰｍがトラックＴｒ・Ａをトレースしている状態が示されている。この場合には、２つのサイドビームスポットＳＰｓ１，ＳＰｓ２のうち、内周側のサイドビームスポットＳＰｓ１はノンウォブルドグルーブＮＷＧをトレースし、外周側のサイドビームスポットＳＰｓ２はウォブルドグルーブＷＧをトレースすることになる。
これに対して、図示しないが、メインビームスポットＳＰｍがトラックＴｒ・Ｂをトレースしている状態であれば、サイドビームスポットＳＰｓ１がウォブルドグルーブＷＧをトレースし、サイドビームスポットＳＰｓ２がノンウォブルドグルーブＮＷＧをトレースすることになる。
このように、メインビームスポットＳＰｍが、トラックＴｒ・Ａをトレースする場合とトラックＴｒ・Ｂをトレースする場合とでは、サイドビームスポットＳＰｓ１，ＳＰｓ２がトレースすべきグルーブとしては、必然的にウォブルドグルーブＷＧとノンウォブルドグルーブＮＷＧとで入れ替わることになる。
【００２０】
サイドビームスポットＳＰｓ１，ＳＰｓ２の反射によりフォトディテクタにて得られる検出信号としては、ウォブルドグルーブＷＧとノンウォブルドグルーブＮＷＧの何れをトレースしているのかで異なる波形が得られることから、上記検出信号に基づいて、例えば、現在サイドビームスポットＳＰｓ１，ＳＰｓ２のうち、どちらがウォブルドグルーブＷＧ（あるいはノンウォブルドグルーブＮＷＧ）をトレースしているのかを判別することにより、メインビームがトラックＴｒ・Ａ，Ｔｒ・Ｂのどちらをトレースしているのかが識別できることになる。
【００２１】
図３は、上記のようなトラック構造を有するＭＤ−ＤＡＴＡ２フォーマットのの主要スペックをＭＤ−ＤＡＴＡ１フォーマットと比較して示す図である。
先ず、ＭＤ−ＤＡＴＡ１フォーマットとしては、トラックピッチは１．６μｍ、ピット長は０．５９μｍ／ｂｉｔとなる。また、レーザ波長λ＝７８０ｎｍとされ、光学ヘッドの開口率ＮＡ＝０．４５とされる。
記録方式としては、グルーブ記録方式を採っている。つまり、グルーブをトラックとして記録再生に用いるようにしている。
アドレス方式としては、シングルスパイラルによるグルーブ（トラック）を形成したうえで、このグルーブの両側に対してアドレス情報としてのウォブルを形成したウォブルドグルーブを利用する方式を採るようにされている。
【００２２】
記録データの変調方式としてはＥＦＭ（８−１４変換）方式を採用している。また、誤り訂正方式としてはＡＣＩＲＣ(Advanced Cross Interleave Reed-Solomon Code) が採用され、データインターリーブには畳み込み型を採用している。このため、データの冗長度としては４６．３％となる。
【００２３】
また、ＭＤ−ＤＡＴＡ１フォーマットでは、ディスク駆動方式としてＣＬＶ(Constant Linear Verocity)が採用されており、ＣＬＶの線速度としては、１．２ｍ／ｓとされる。
そして、記録再生時の標準のデータレートとしては、１３３ｋＢ／ｓとされ、記録容量としては、１４０ＭＢとなる。
【００２４】
これに対して、本例のビデオカメラが対応できるＭＤ−ＤＡＴＡ２フォーマットとしては、トラックピッチは０．９５μｍ、ピット長は０．３９μｍ／ｂｉｔとされ、共にＭＤ−ＤＡＴＡ１フォーマットよりも短くなっていることが分かる。そして、例えば上記ピット長を実現するために、レーザ波長λ＝６５０ｎｍ、光学ヘッドの開口率ＮＡ＝０．５２として、合焦位置でのビームスポット径を絞ると共に光学系としての帯域を拡げている。
【００２５】
記録方式としては、図１及び図２により説明したように、ランド記録方式が採用され、アドレス方式としてはインターレースアドレッシング方式が採用される。また、記録データの変調方式としては、高密度記録に適合するとされるＲＬＬ（１，７）方式（ＲＬＬ；Run Length Limited）が採用され、誤り訂正方式としてはＲＳ−ＰＣ方式、データインターリーブにはブロック完結型が採用される。そして、上記各方式を採用した結果、データの冗長度としては、１９．７％にまで抑制することが可能となっている。
【００２６】
ＭＤ−ＤＡＴＡ２フォーマットにおいても、ディスク駆動方式としてはＣＬＶが採用されるのであるが、その線速度としては２．０ｍ／ｓとされ、記録再生時の標準のデータレートとしては５８９ｋＢ／ｓとされる。そして、記録容量としては６５０ＭＢを得ることができ、ＭＤ−ＤＡＴＡ１フォーマットと比較した場合には、４倍強の高密度記録化が実現されたことになる。
例えば、ＭＤ−ＤＡＴＡ２フォーマットにより動画像の記録を行うとして、動画像データについてＭＰＥＧ２による圧縮符号化を施した場合には、符号化データのビットレートにも依るが、時間にして１５分〜１７分の動画を記録することが可能とされる。また、音声信号データのみを記録するとして、音声データについてＡＴＲＡＣ(Adaptve Transform Acoustic Coding) ２による圧縮処理を施した場合には、時間にして１０時間程度の記録を行うことができる。
【００２７】
２．ビデオカメラの外観構成
図６（ａ）（ｂ）（ｃ）は、本例のビデオカメラの外観例を示す側面図、平面図及び背面図である。
これらの図に示すように、本例のビデオカメラの本体２００には、撮影を行うための撮像レンズや絞りなどを備えたカメラレンズ２０１が表出するようにして設けられ、また、例えば、本体２００の上面部においては、撮影時において外部の音声を収音するための左右一対のマイクロフォン２０２が設けられている。つまり、このビデオカメラでは、カメラレンズ２０１により撮影した画像の録画と、マイクロフォン２０２により収音したステレオ音声の録音を行うことが可能とされている。
【００２８】
また、本体２００の側面側には、表示部６Ａ、スピーカ２０５、インジケータ２０６が備えられている。表示部６Ａは、撮影画像、及び内部の記録再生装置により再生された画像等を表示出力する部位とされる。なお、表示部６Ａとして実際に採用する表示デバイスとしては、ここでは特に限定されるものではないが、例えば液晶ディスプレイ等が用いられればよい。また、表示部６Ａには、機器の動作に応じて所要のメッセージをユーザに知らせるための文字やキャラクタ等によるメッセージ表示等も行われるものとされる。
スピーカ２０５からは録音した音声の再生時に、その再生音声が出力される他、例えばビープ音等による所要のメッセージ音声の出力等も行われる。
またインジケータ２０６は、例えば記録動作中に発光され、ユーザーにビデオカメラが記録動作中であることを示す。
【００２９】
本体２００の背面側には、ビューファインダ２０４が設けられており、記録動作中及びスタンバイ中において、カメラレンズ２０１から取り込まれる画像及びキャラクタ画像等が表示される。ユーザーはこのビューファインダ２０４をみながら撮影を行うことができる。
さらにディスクスロット２０３、ビデオ出力端子Ｔ１、ヘッドフォン／ライン端子Ｔ２、Ｉ／Ｆ端子Ｔ３が設けられる。ディスクスロット２０３は、本例のビデオカメラが対応する記録媒体としてのディスクが挿入、あるいは排出されるためのスロット部分とされる。ビデオ出力端子Ｔ１は、外部の映像機器に対して再生画像信号等を出力する端子、ヘッドフォン／ライン端子Ｔ２は外部の音声機器やヘッドホンに対して再生音声信号を出力する端子である。Ｉ／Ｆ端子Ｔ３は、例えば外部のデータ機器とデータ伝送を行うためのインターフェイスの入出力端子とされる。
【００３０】
さらに、本体２００の各部には、ユーザー操作のための各種の操作子が設けられる。以下、主要となる各操作子について説明する。
メインダイヤル３００は、ビデオカメラのオン／オフ、記録動作、再生動作を設定する操作子である。メインダイヤルが図示するように「ＯＦＦ」の位置にあるときは電源オフとされており、「ＳＴＢＹ」の位置に回動されることで、電源オンとなって記録動作のスタンバイ状態となる。また、「ＰＢ」の位置に回動されることで、電源オンとなって再生動作のスタンバイ状態となる。
【００３１】
レリーズキー３０１は、記録スタンバイ状態にある際において、記録開始や記録シャッタの操作子として機能する。
【００３２】
ズームキー３０４は、画像撮影に関してのズーム状態（テレ側〜ワイド側）を操作する操作子である。
イジェクトキー３０５は、ディスクスロット２０３内に装填されているディスクを排出させるための操作子である。
再生／一時停止キー３０６、停止キー３０７、サーチキー３０８，３０９は、ディスクに対する再生時の各種操作のために用意されている。
【００３３】
十字／クリックキー３１０は、ユーザが、後述するサムネイル表示画面上でポインタ表示を左右上下方向に移動させるために用いられる。また、この場合には、このキーの中央部分を押圧操作することで、クリック操作を行うことが出来るようになっているものとされる。
【００３４】
ジョグダイヤル３１１は、例えば、円盤状の操作子とされ、図７（ｂ）に矢印ａで示すように正／逆方向に回転操作可能に取り付けられていると共に、所定の回転角度ごとにクリック感が得られるようになっている。
このジョグダイヤル３１１は、例えば実際には、例えば２相式のロータリエンコーダなどと組み合わされることで、例えば１クリックが１回転ステップとなるようにして、その回転方向と回転角度に対応した回転ステップ数の情報を出力する。例えば、正方向に４クリック分の回転操作が行われたとすれば、操作情報として、＋４の回転ステップ数が検出される。一方、逆方向に４クリック分の回転操作が行われたとすると、−４の回転ステップ数が検出されることになる。
【００３５】
このようにして構成されるジョグダイヤル３１１は、各操作モードの下で回転操作が行われることで、操作時に検出される回転ステップ数に応じて、所要の選択操作や入力操作、また、所要のパラメータ値の変更等が行われるものとされる。例えば文字入力モードとされている状態の下では、このジョグダイヤル３１１を回転操作することで、入力すべき文字を選択することが可能となる。また、このジョグダイヤル３１１は、矢印ｂにより示すように、本体内の方向に押圧することでクリック操作を行うことが可能とされる。そこで、上記のようにして選択した文字を確定する場合にはジョグダイヤル３１１に対するクリック操作を行えばよいものである。
【００３６】
そして、特に本実施の形態においては、例えば後述する録画ファイルの検索画面であるサムネイル表示が行われている状態の下で、ジョグダイヤル３１１の操作によって、ファイル検索が行えるように構成されるものである。
【００３７】
なお、図６に示すビデオカメラの外観はあくまでも一例であって、実際に本例のビデオカメラに要求される使用条件等に応じて適宜変更されて構わないものである。もちろん操作子の種類や操作方式、さらに外部機器との接続端子類などは各種多様に考えられる。
【００３８】
３．ビデオカメラの内部構成
図４は、本例のビデオカメラの内部構成例を示すブロック図である。
この図に示すレンズブロック１においては、例えば実際には撮像レンズや絞りなどを備えて構成される光学系１１が備えられている。上記図６に示したカメラレンズ２０１は、この光学系１１に含まれる。また、このレンズブロック１には、光学系１１に対してオートフォーカス動作を行わせるためのフォーカスモータや、上記ズームキー３０４の操作に基づくズームレンズの移動を行うためのズームモータなどが、モータ部１２として備えられる。
【００３９】
カメラブロック２には、主としてレンズブロック１により撮影した画像光をデジタル画像信号に変換するための回路部が備えられる。
このカメラブロック２のＣＣＤ(Charge Coupled Device) ２１に対しては、光学系１１を透過した被写体の光画像が与えられる。ＣＣＤ２１においては上記光画像について光電変換を行うことで撮像信号を生成し、サンプルホールド／ＡＧＣ(Automatic Gain Control)回路２２に供給する。サンプルホールド／ＡＧＣ回路２２では、ＣＣＤ２１から出力された撮像信号についてゲイン調整を行うと共に、サンプルホールド処理を施すことによって波形整形を行う。サンプルホールド／ＡＧＣ回路２の出力は、ビデオＡ／Ｄコンバータ２３に供給されることで、デジタルとしての画像信号データに変換される。
【００４０】
上記ＣＣＤ２１、サンプルホールド／ＡＧＣ回路２２、ビデオＡ／Ｄコンバータ２３における信号処理タイミングは、タイミングジェネレータ２４にて生成されるタイミング信号により制御される。タイミングジェネレータ２４では、後述するデータ処理／システムコントロール回路３１（ビデオ信号処理回部３内）にて信号処理に利用されるクロックを入力し、このクロックに基づいて所要のタイミング信号を生成するようにされる。これにより、カメラブロック２における信号処理タイミングを、ビデオ信号処理部３における処理タイミングと同期させるようにしている。
カメラコントローラ２５は、カメラブロック２内に備えられる上記各機能回路部が適正に動作するように所要の制御を実行すると共に、レンズブロック１に対してオートフォーカス、自動露出調整、絞り調整、ズームなどのための制御を行うものとされる。
例えばオートフォーカス制御であれば、カメラコントローラ２５は、所定のオートフォーカス制御方式に従って得られるフォーカス制御情報に基づいて、フォーカスモータの回転角を制御する。これにより、撮像レンズはジャストピント状態となるように駆動されることになる。
【００４１】
ビデオ信号処理部３は、記録時においては、カメラブロック２から供給されたデジタル画像信号、及びマイクロフォン２０２により集音したことで得られるデジタル音声信号について圧縮処理を施し、これら圧縮データをユーザ記録データとして後段のメディアドライブ部４に供給する。さらにカメラブロック２から供給されたデジタル画像信号とキャラクタ画像により生成した画像をビューファインダドライブ部２０７に供給し、ビューファインダ２０４に表示させる。
また、再生時においては、メディアドライブ部４から供給されるユーザ再生データ（ディスク５１からの読み出しデータ）、つまり圧縮処理された画像信号データ及び音声信号データについて復調処理を施し、これらを再生画像信号、再生音声信号として出力する。
【００４２】
なお本例において、画像信号データ（画像データ）の圧縮／伸張処理方式としては、動画像についてはＭＰＥＧ(Moving Picture Experts Group)２を採用し、静止画像についてはＪＰＥＧ(Joint Photographic Coding Experts Group) を採用しているものとする。また、音声信号デーのタ圧縮／伸張処理方式には、ＡＴＲＡＣ(Adaptve Transform Acoustic Coding) ２を採用するものとする。
【００４３】
ビデオ信号処理部３のデータ処理／システムコントロール回路３１は、主として、当該ビデオ信号処理部３における画像信号データ及び音声信号データの圧縮／伸張処理に関する制御処理と、ビデオ信号処理部３を経由するデータの入出力を司るための処理を実行する。
また、データ処理／システムコントロール回路３１を含むビデオ信号処理部３全体についての制御処理は、ビデオコントローラ３８が実行するようにされる。このビデオコントローラ３８は、例えばマイクロコンピュータ等を備えて構成され、カメラブロック２のカメラコントローラ２５、及び後述するメディアドライブ部４のドライバコントローラ４６と、例えば図示しないバスライン等を介して相互通信可能とされている。
【００４４】
ビデオ信号処理部３における記録時の基本的な動作として、データ処理／システムコントロール回路３１には、カメラブロック２のビデオＡ／Ｄコンバータ２３から供給された画像信号データが入力される。データ処理／システムコントロール回路３１では、入力された画像信号データを例えば動き検出回路３５に供給する。動き検出回路３５では、例えばメモリ３６を作業領域として利用しながら入力された画像信号データについて動き補償等の画像処理を施した後、ＭＰＥＧ２ビデオ信号処理回路３３に供給する。
【００４５】
ＭＰＥＧ２ビデオ信号処理回路３３においては、例えばメモリ３４を作業領域として利用しながら、入力された画像信号データについてＭＰＥＧ２のフォーマットに従って圧縮処理を施し、動画像としての圧縮データのビットストリーム（ＭＰＥＧ２ビットストリーム）を出力するようにされる。また、ＭＰＥＧ２ビデオ信号処理回路３３では、例えば動画像としての画像信号データから静止画としての画像データを抽出してこれに圧縮処理を施す際には、ＪＰＥＧのフォーマットに従って静止画としての圧縮画像データを生成するように構成されている。なお、ＪＰＥＧは採用せずに、ＭＰＥＧ２のフォーマットによる圧縮画像データとして、正規の画像データとされるＩピクチャ(Intra Picture) を静止画の画像データとして扱うことも考えられる。
ＭＰＥＧ２ビデオ信号処理回路３３により圧縮符号化された画像信号データ（圧縮画像データ）は、例えば、バッファメモリ３２に対して所定の転送レートにより書き込まれて一時保持される。
なおＭＰＥＧ２のフォーマットにおいては、周知のようにいわゆる符号化ビットレート（データレート）として、一定速度（ＣＢＲ；Constant Bit Rate)と、可変速度（ＶＢＲ；Variable Bit Rate)の両者がサポートされており、ビデオ信号処理部３ではこれらに対応できるものとしている。
【００４６】
例えばＶＢＲによる画像圧縮処理を行う場合には、例えば、動き検出回路３５において、画像データをマクロブロック単位により前後数十〜数百フレーム内の範囲で動き検出を行って、動きありとされればこの検出結果を動きベクトル情報としてＭＰＥＧ２ビデオ信号処理回路３３に伝送する。
ＭＰＥＧ２ビデオ信号処理回路３３では、圧縮符号化後の画像データをある所要のデータレートとするように、上記動きベクトル情報をはじめとする所要の情報を利用しながら、マクロブロックごとの量子化係数を決定していくようにされる。
【００４７】
音声圧縮エンコーダ／デコーダ３７には、Ａ／Ｄコンバータ６４（表示／画像／音声入出力部６内）を介して、例えばマイクロフォン２０２により集音された音声がデジタルによる音声信号データとして入力される。
音声圧縮エンコーダ／デコーダ３７では、前述のようにＡＴＲＡＣ２のフォーマットに従って入力された音声信号データに対する圧縮処理を施す。この圧縮音声信号データもまた、データ処理／システムコントロール回路３１によってバッファメモリ３２に対して所定の転送レートによる書き込みが行われ、ここで一時保持される。
【００４８】
上記のようにして、バッファメモリ３２には、圧縮画像データ及び圧縮音声信号データが蓄積可能とされる。バッファメモリ３２は、主として、カメラブロック２あるいは表示／画像／音声入出力部６とバッファメモリ３２間のデータ転送レートと、バッファメモリ３２とメディアドライブ部４間のデータ転送レートの速度差を吸収するための機能を有する。
バッファメモリ３２に蓄積された圧縮画像データ及び圧縮音声信号データは、記録時であれば、順次所定タイミングで読み出しが行われて、メディアドライブ部４のＭＤ−ＤＡＴＡ２エンコーダ／デコーダ４１に伝送される。ただし、例えば再生時においてバッファメモリ３２に蓄積されたデータの読み出しと、この読み出したデータをメディアドライブ部４からデッキ部５を介してディスク５１に記録するまでの動作は、間欠的に行われても構わない。
このようなバッファメモリ３２に対するデータの書き込み及び読み出し制御は、例えば、データ処理／システムコントロール回路３１によって実行される。
【００４９】
ビデオ信号処理部３における再生時の動作としては、概略的に次のようになる。
再生時には、ディスク５１から読み出され、ＭＤ−ＤＡＴＡ２エンコーダ／デコーダ４１（メディアドライブ部４内）の処理によりＭＤ−ＤＡＴＡ２フォーマットに従ってデコードされた圧縮画像データ、圧縮音声信号データ（ユーザ再生データ）が、データ処理／システムコントロール回路３１に伝送されてくる。
データ処理／システムコントロール回路３１では、例えば入力した圧縮画像データ及び圧縮音声信号データを、一旦バッファメモリ３２に蓄積させる。そして、例えば再生時間軸の整合が得られるようにされた所要のタイミング及び転送レートで、バッファメモリ３２から圧縮画像データ及び圧縮音声信号データの読み出しを行い、圧縮画像データについてはＭＰＥＧ２ビデオ信号処理回路３３に供給し、圧縮音声信号データについては音声圧縮エンコーダ／デコーダ３７に供給する。
【００５０】
ＭＰＥＧ２ビデオ信号処理回路３３では、入力された圧縮画像データについて伸張処理を施して、データ処理／システムコントロール回路３１に伝送する。データ処理／システムコントロール回路３１では、この伸張処理された画像信号データを、ビデオＤ／Ａコンバータ６１（表示／画像／音声入出力部６内）に供給する。
音声圧縮エンコーダ／デコーダ３７では、入力された圧縮音声信号データについて伸張処理を施して、Ｄ／Ａコンバータ６５（表示／画像／音声入出力部６内）に供給する。
【００５１】
表示／画像／音声入出力部６においては、ビデオＤ／Ａコンバータ６１に入力された画像信号データは、ここでアナログ画像信号に変換され、表示コントローラ６２及びコンポジット信号処理回路６３に対して分岐して入力される。
表示コントローラ６２では、入力された画像信号に基づいて表示部６Ａを駆動する。これにより、表示部６Ａにおいて再生画像の表示が行われる。また、表示部６Ａにおいては、ディスク５１から再生して得られる画像の表示だけでなく、当然のこととして、レンズブロック１及びカメラブロック２からなるカメラ部位により撮影して得られた撮像画像も、ほぼリアルタイムで表示出力させることが可能である。
また、再生画像及び撮像画像の他、前述のように、機器の動作に応じて所要のメッセージをユーザに知らせるための文字やキャラクタ等によるメッセージ表示も行われるものとされる。このようなメッセージ表示は、例えばビデオコントローラ３８の制御によって、所要の文字やキャラクタ等が所定の位置に表示されるように、データ処理／システムコントロール回路３１からビデオＤ／Ａコンバータ６１に出力すべき画像信号データに対して、所要の文字やキャラクタ等の画像信号データを合成する処理を実行するようにすればよい。
【００５２】
コンポジット信号処理回路６３では、ビデオＤ／Ａコンバータ６１から供給されたアナログ画像信号についてコンポジット信号に変換して、ビデオ出力端子Ｔ１に出力する。例えば、ビデオ出力端子Ｔ１を介して、外部モニタ装置等と接続を行えば、当該ビデオカメラで再生した画像を外部モニタ装置により表示させることが可能となる。
【００５３】
また、表示／画像／音声入出力部６において、音声圧縮エンコーダ／デコーダ３７からＤ／Ａコンバータ６５に入力された音声信号データは、ここでアナログ音声信号に変換され、ヘッドフォン／ライン端子Ｔ２に対して出力される。また、Ｄ／Ａコンバータ６５から出力されたアナログ音声信号は、アンプ６６を介してスピーカ２０５に対しても分岐して出力され、これにより、スピーカ２０５からは、再生音声等が出力されることになる。
【００５４】
メディアドライブ部４では、主として、記録時にはＭＤ−ＤＡＴＡ２フォーマットに従って記録データをディスク記録に適合するようにエンコードしてデッキ部５に伝送し、再生時においては、デッキ部５においてディスク５１から読み出されたデータについてデコード処理を施すことで再生データを得て、ビデオ信号処理部３に対して伝送する。
【００５５】
このメディアドライブ部４のＭＤ−ＤＡＴＡ２エンコーダ／デコーダ４１は、記録時においては、データ処理／システムコントロール回路３１から記録データ（圧縮画像データ＋圧縮音声信号データ）が入力され、この記録データについて、ＭＤ−ＤＡＴＡ２フォーマットに従った所定のエンコード処理を施し、このエンコードされたデータを一時バッファメモリ４２に蓄積する。そして、所要のタイミングで読み出しを行いながらデッキ部５に伝送する。
【００５６】
再生時においては、ディスク５１から読み出され、ＲＦ信号処理回路４４、二値化回路４３を介して入力されたデジタル再生信号について、ＭＤ−ＤＡＴＡ２フォーマットに従ったデコード処理を施して、再生データとしてビデオ信号処理部３のデータ処理／システムコントロール回路３１に対して伝送する。
なお、この際においても、必要があれば再生データを一旦バッファメモリ４２に蓄積し、ここから所要のタイミングで読み出したデータをデータ処理／システムコントロール回路３１に伝送出力するようにされる。このような、バッファメモリ４２に対する書き込み／読み出し制御はドライバコントローラ４６が実行するものとされる。
なお、例えばディスク５１の再生時において、外乱等によってサーボ等が外れて、ディスクからの信号の読み出しが不可となったような場合でも、バッファメモリ４２に対して読み出しデータが蓄積されている期間内にディスクに対する再生動作を復帰させるようにすれば、再生データとしての時系列的連続性を維持することが可能となる。
【００５７】
ＲＦ信号処理回路４４には、ディスク５１からの読み出し信号について所要の処理を施すことで、例えば、再生データとしてのＲＦ信号、デッキ部５に対するサーボ制御のためのフォーカスエラー信号、トラッキングエラー信号等のサーボ制御信号を生成する。ＲＦ信号は、上記のように二値化回路４３により２値化され、デジタル信号データとしてＭＤ−ＤＡＴＡ２エンコーダ／デコーダ４１に入力される。
また、生成された各種サーボ制御信号はサーボ回路４５に供給される。サーボ回路４５では、入力したサーボ制御信号に基づいて、デッキ部５における所要のサーボ制御を実行する。
【００５８】
なお、本例においては、ＭＤ−ＤＡＴＡ１フォーマットに対応するエンコーダ／デコーダ４７を備えており、ビデオ信号処理部３から供給された記録データを、ＭＤ−ＤＡＴＡ１フォーマットに従ってエンコードしてディスク５１に記録すること、或いは、ディスク５１からの読み出しデータがＭＤ−ＤＡＴＡ１フォーマットに従ってエンコードされているものについては、そのデコード処理を行って、ビデオ信号処理部３に伝送出力することも可能とされている。つまり本例のビデオカメラとしては、ＭＤ−ＤＡＴＡ２フォーマットとＭＤ−ＤＡＴＡ１フォーマットとについて互換性が得られるように構成されている。
ドライバコントローラ４６は、メディアドライブ部４を総括的に制御するための機能回路部とされる。
【００５９】
デッキ部５は、ディスク５１を駆動するための機構からなる部位とされる。ここでは図示しないが、デッキ部５においては、装填されるべきディスク５１が着脱可能とされ、ユーザの作業によって交換が可能なようにされた機構（ディスクスロット２０３（図６参照））を有しているものとされる。また、ここでのディスク５１は、ＭＤ−ＤＡＴＡ２フォーマット、あるいはＭＤ−ＤＡＴＡ１フォーマットに対応する光磁気ディスクであることが前提となる。
【００６０】
デッキ部５においては、装填されたディスク５１をＣＬＶにより回転駆動するスピンドルモータ５２によって、ＣＬＶにより回転駆動される。このディスク５１に対しては記録／再生時に光学ヘッド５３によってレーザ光が照射される。
光学ヘッド５３は、記録時には記録トラックをキュリー温度まで加熱するための高レベルのレーザ出力を行ない、また再生時には磁気カー効果により反射光からデータを検出するための比較的低レベルのレーザ出力を行なう。このため、光学ヘッド５３には、ここでは詳しい図示は省略するがレーザ出力手段としてのレーザダイオード、偏光ビームスプリッタや対物レンズ等からなる光学系、及び反射光を検出するためのディテクタが搭載されている。光学ヘッド５３に備えられる対物レンズとしては、例えば２軸機構によってディスク半径方向及びディスクに接離する方向に変位可能に保持されている。
【００６１】
また、ディスク５１を挟んで光学ヘッド５３と対向する位置には磁気ヘッド５４が配置されている。磁気ヘッド５４は記録データによって変調された磁界をディスク５１に印加する動作を行なう。
また、図示しないが、デッキ部５においては、スレッドモータ５５により駆動されるスレッド機構が備えられている。このスレッド機構が駆動されることにより、上記光学ヘッド５３全体及び磁気ヘッド５４はディスク半径方向に移動可能とされている。
【００６２】
操作部７は図６に示した各操作子３００〜３１１等に相当し、これらの操作子によるユーザの各種操作情報は例えばビデオコントローラ３８に供給される。ビデオコントローラ３８は、ユーザー操作に応じた必要な動作が各部において実行されるようにするための操作情報、制御情報をカメラコントローラ２５、ドライバコントローラ４６に対して供給する。
【００６３】
外部インターフェイス８は、当該ビデオカメラと外部機器とでデータを相互伝送可能とするために設けられており、例えば図のようにＩ／Ｆ端子Ｔ３とビデオ信号処理部間に対して設けられる。なお、外部インターフェイス８としてはここでは特に限定されるものではないが、例えばＩＥＥＥ１３９４等が採用されればよい。
例えば、外部のデジタル画像機器と本例のビデオカメラをＩ／Ｆ端子Ｔ３を介して接続した場合、ビデオカメラで撮影した画像（音声）を外部デジタル画像機器に録画したりすることが可能となる。また、外部デジタル画像機器にて再生した画像（音声）データ等を、外部インターフェイス８を介して取り込むことにより、ＭＤ−ＤＡＴＡ２（或いはＭＤ−ＤＡＴＡ１）フォーマットに従ってディスク５１に記録するといったことも可能となる。更には、例えばキャプションの挿入などに利用する文字情報としてのファイルも取り込んで記録することが可能となる。
【００６４】
電源ブロック９は、内蔵のバッテリにより得られる直流電源あるいは商用交流電源から生成した直流電源を利用して、各機能回路部に対して所要のレベルの電源電圧を供給する。電源ブロック９による電源オン／オフは、上述したメインダイヤル３００の操作に応じてビデオコントローラ３８が制御する。
また記録動作中はビデオコントローラ３８はインジケータ２０６の発光動作を実行させる。
【００６５】
４．メディアドライブ部の構成
続いて、図４に示したメディアドライブ部４の構成として、ＭＤ−ＤＡＴＡ２に対応する機能回路部を抽出した詳細な構成について、図５のブロック図を参照して説明する。なお、図５においては、メディアドライブ部４と共にデッキ部５を示しているが、デッキ部５の内部構成については図４により説明したため、ここでは、図４と同一符号を付して説明を省略する。また、図５に示すメディアドライブ部４において図４のブロックに相当する範囲に同一符号を付している。
【００６６】
光学ヘッド５３のディスク５１に対するデータ読み出し動作によりに検出された情報（フォトディテクタによりレーザ反射光を検出して得られる光電流）は、ＲＦ信号処理回路４４内のＲＦアンプ１０１に供給される。
ＲＦアンプ１０１では入力された検出情報から、再生信号としての再生ＲＦ信号を生成し、二値化回路４３に供給する。二値化回路４３は、入力された再生ＲＦ信号について二値化を行うことにより、デジタル信号化された再生ＲＦ信号（二値化ＲＦ信号）を得る。
この二値化ＲＦ信号はＭＤ−ＤＡＴＡ２エンコーダ／デコーダ４１に供給され、まずＡＧＣ／クランプ回路１０３を介してゲイン調整、クランプ処理等が行われた後、イコライザ／ＰＬＬ回路１０４に入力される。
イコライザ／ＰＬＬ回路１０４では、入力された二値化ＲＦ信号についてイコライジング処理を施してビタビデコーダ１０５に出力する。また、イコライジング処理後の二値化ＲＦ信号をＰＬＬ回路に入力することにより、二値化ＲＦ信号（ＲＬＬ（１，７）符号列）に同期したクロックＣＬＫを抽出する。
【００６７】
クロックＣＬＫの周波数は現在のディスク回転速度に対応する。このため、ＣＬＶプロセッサ１１１では、イコライザ／ＰＬＬ回路１０４からクロックＣＬＫを入力し、所定のＣＬＶ速度（図３参照）に対応する基準値と比較することにより誤差情報を得て、この誤差情報をスピンドルエラー信号ＳＰＥを生成するための信号成分として利用する。また、クロックＣＬＫは、例えばＲＬＬ（１，７）復調回路１０６をはじめとする、所要の信号処理回路系における処理のためのクロックとして利用される。
【００６８】
ビタビデコーダ１０５は、イコライザ／ＰＬＬ回路１０４から入力された二値化ＲＦ信号について、いわゆるビタビ復号法に従った復号処理を行う。これにより、ＲＬＬ（１，７）符号列としての再生データが得られることになる。
この再生データはＲＬＬ（１，７）復調回路１０６に入力され、ここでＲＬＬ（１，７）復調が施されたデータストリームとされる。
【００６９】
ＲＬＬ（１，７）復調回路１０６における復調処理により得られたデータストリームは、データバス１１４を介してバッファメモリ４２に対して書き込みが行われ、バッファメモリ４２上で展開される。
このようにしてバッファメモリ４２上に展開されたデータストリームに対しては、先ず、ＥＣＣ処理回路１１６により、ＲＳ−ＰＣ方式に従って誤り訂正ブロック単位によるエラー訂正処理が施され、更に、デスクランブル／ＥＤＣデコード回路１１７により、デスクランブル処理と、ＥＤＣデコード処理（エラー検出処理）が施される。
これまでの処理が施されたデータが再生データＤＡＴＡｐとされる。この再生データＤＡＴＡｐは、転送クロック発生回路１２１にて発生された転送クロックに従った転送レートで、例えばデスクランブル／ＥＤＣデコード回路１１７からビデオ信号処理部３のデータ処理／システムコントロール回路３１に対して伝送されることになる。
【００７０】
転送クロック発生回路１２１は、例えば、クリスタル系のクロックをメディアドライブ部４とビデオ信号処理部３間のデータ伝送や、メディアドライブ部４内における機能回路部間でのデータ伝送を行う際に、適宜適正とされる周波数の転送クロック（データ転送レート）を発生するための部位とされる。
また、当該ビデオカメラの動作状態に応じて、メディアドライブ部４及びビデオ信号処理部３の各機能回路部に供給すべき所要の周波数のクロックを発生する。
【００７１】
光学ヘッド５３によりディスク５１から読み出された検出情報（光電流）は、マトリクスアンプ１０７に対しても供給される。
マトリクスアンプ１０７では、入力された検出情報について所要の演算処理を施すことにより、トラッキングエラー信号ＴＥ、フォーカスエラー信号ＦＥ、グルーブ情報（ディスク５１にウォブルドグルーブＷＧとして記録されている絶対アドレス情報）ＧＦＭ等を抽出しサーボ回路４５に供給する。即ち抽出されたトラッキングエラー信号ＴＥ、フォーカスエラー信号ＦＥはサーボプロセッサ１１２に供給され、グルーブ情報ＧＦＭはＡＤＩＰバンドパスフィルタ１０８に供給される。
【００７２】
ＡＤＩＰバンドパスフィルタ１０８により帯域制限されたグルーブ情報ＧＦＭは、Ａ／Ｂトラック検出回路１０９、ＡＤＩＰデコーダ１１０、及びＣＬＶプロセッサ１１１に対して供給される。
Ａ／Ｂトラック検出回路１０９では、例えば図２（ｂ）にて説明した方式などに基づいて、入力されたグルーブ情報ＧＦＭから、現在トレースしているトラックがトラックＴＲ・Ａ，ＴＲ・Ｂの何れとされているのかについて判別を行い、このトラック判別情報をドライバコントローラ４６に出力する。また、ＡＤＩＰデコーダ１１０では、入力されたグルーブ情報ＧＦＭをデコードしてディスク上の絶対アドレス情報であるＡＤＩＰ信号を抽出し、ドライバコントローラ４６に出力する。ドライバコントローラ４６では、上記トラック判別情報及びＡＤＩＰ信号に基づいて、所要の制御処理を実行する。
【００７３】
ＣＬＶプロセッサ１１１には、イコライザ／ＰＬＬ回路１０４からクロックＣＬＫと、ＡＤＩＰバンドパスフィルタ１０８を介したグルーブ情報ＧＦＭが入力される。ＣＬＶプロセッサ１１１では、例えばグルーブ情報ＧＦＭに対するクロックＣＬＫとの位相誤差を積分して得られる誤差信号に基づき、ＣＬＶサーボ制御のためのスピンドルエラー信号ＳＰＥを生成し、サーボプロセッサ１１２に対して出力する。なお、ＣＬＶプロセッサ１１１が実行すべき所要の動作はドライバコントローラ４６によって制御される。
【００７４】
サーボプロセッサ１１２は、上記のようにして入力されたトラッキングエラー信号ＴＥ、フォーカスエラー信号ＦＥ、スピンドルエラー信号ＳＰＥ、ドライバコントローラ４６からのトラックジャンプ指令、アクセス指令等に基づいて各種サーボ制御信号（トラッキング制御信号、フォーカス制御信号、スレッド制御信号、スピンドル制御信号等）を生成し、サーボドライバ１１３に対して出力する。
サーボドライバ１１３では、サーボプロセッサ１１２から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ５２を駆動するスピンドルモータ駆動信号となる。
このようなサーボドライブ信号がデッキ部５に対して供給されることで、ディスク５１に対するフォーカス制御、トラッキング制御、及びスピンドルモータ５２に対するＣＬＶ制御が行われることになる。
【００７５】
ディスク５１に対して記録動作が実行される際には、例えば、ビデオ信号処理部３のデータ処理／システムコントロール回路３１からスクランブル／ＥＤＣエンコード回路１１５に対して記録データＤＡＴＡｒが入力されることになる。このユーザ記録データＤＡＴＡｒは、例えば転送クロック発生回路１２１にて発生された転送クロック（データ転送レート）に同期して入力される。
【００７６】
スクランブル／ＥＤＣエンコード回路１１５では、例えば記録データＤＡＴＡｒをバッファメモリ４２に書き込んで展開し、データスクランブル処理、ＥＤＣエンコード処理（所定方式によるエラー検出符号の付加処理）を施す。この処理の後、例えばＥＣＣ処理回路１１６によって、バッファメモリ４２に展開させている記録データＤＡＴＡｒに対してＲＳ−ＰＣ方式によるエラー訂正符号を付加するようにされる。
ここまでの処理が施された記録データＤＡＴＡｒは、バッファメモリ４２から読み出されて、データバス１１４を介してＲＬＬ（１，７）変調回路１１８に供給される。
【００７７】
ＲＬＬ（１，７）変調回路１１８では、入力された記録データＤＡＴＡｒについてＲＬＬ（１，７）変調処理を施し、このＲＬＬ（１，７）符号列としての記録データを磁気ヘッド駆動回路１１９に出力する。
【００７８】
ところで、ＭＤ−ＤＡＴＡ２フォーマットでは、ディスクに対する記録方式として、いわゆるレーザストローブ磁界変調方式を採用している。レーザストローブ磁界変調方式とは、記録データにより変調した磁界をディスク記録面に印加すると共に、ディスクに照射すべきレーザ光を記録データに同期してパルス発光させる記録方式をいう。
このようなレーザストローブ磁界変調方式では、ディスクに記録されるピットエッジの形成過程が磁界の反転速度等の過渡特性に依存せず、レーザパルスの照射タイミングによって決定される。
このため、例えば単純磁界変調方式（レーザ光をディスクに対して定常的に照射すると共に記録データにより変調した磁界をディスク記録面に印加するようにした方式）と比較して、レーザストローブ磁界変調方式では、記録ピットのジッタをきわめて小さくすることが容易に可能とされる。つまり、レーザストローブ磁界変調方式は、高密度記録化に有利な記録方式とされるものである。
【００７９】
メディアドライブ部４の磁気ヘッド駆動回路１１９では、入力された記録データにより変調した磁界が磁気ヘッド５４からディスク５１に印加されるように動作する。また、ＲＬＬ（１，７）変調回路１１８からレーザドライバ１２０に対しては、記録データに同期したクロックを出力する。レーザドライバ１２０は、入力されたクロックに基づいて、磁気ヘッド５４により磁界として発生される記録データに同期させたレーザパルスがディスクに対して照射されるように、光学ヘッド５３のレーザダイオードを駆動する。この際、レーザダイオードから発光出力されるレーザパルスとしては、記録に適合する所要のレーザパワーに基づくものとなる。このようにして、本例のメディアドライブ部４により上記レーザストローブ磁界変調方式としての記録動作が可能とされる。
【００８０】
５．本実施の形態に対応するディスク構造例
次に、本実施の形態に対応するディスク５１のデータ構造例について説明する。
図７は、本実施の形態に対応するとされるディスク５１の構造例を概念的に示している。なお、この図に示すディスク５１の物理フォーマットについては、先に図１及び図２により説明した通りである。
【００８１】
ディスク５１においては、例えば、管理情報エリアとしてＰＴＯＣ、及びＲＴＯＣの領域が設けられる。ＰＴＯＣは、例えばディスク最内周のプリマスタードエリア（ピットエリア）において、ピット形態により所要の管理情報が記録される。このＰＴＯＣの内容は書き換えが不可とされている。
例えば、上記ＰＴＯＣが記録されるプリマスタードエリアの外周には、光磁気記録再生が可能とされる光磁気記録領域が形成される。そして、先ずその最内周における所定サイズの区間に対して上記ＲＴＯＣの領域が設けられるものとされる。このＲＴＯＣは、例えばディスクに記録されたデータを管理するのに必要な基本的な情報が記録される。
例えば本例の場合であれば、ディスクに記録されたデータとして、トラック（ファイルと同義の場合有り）、及びフォルダ（トラックをグループ化して管理するための構造）を記録再生時において管理するための情報が格納される。
なお、ＲＴＯＣの内容は、例えば、これまでのディスクに対するデータの記録結果や、トラック（ファイル）、フォルダの削除等の編集処理結果に従って逐次書き換えが行われるものとされる。
【００８２】
上記ＲＴＯＣの外周側に対しては、ユーザデータが記録されるためのデータエリアが設けられる。本実施の形態では、このデータエリアは、１つのルートフォルダ内に置かれたボリュームフォルダ(Volume Folder)として管理される。本実施の形態においてボリューム(Volume)とは、ユーザデータの完全な集合として定義され、１枚のディスクにはただ１つのボリュームが存在するものとして規定される。そして、このボリューム内に含まれるデータは、上記ＰＴＯＣ、ＲＴＯＣで管理されるものを除いて、ボリュームフォルダ以下のフォルダ及びトラックとして格納されることになる。
【００８３】
ボリュームフォルダ内においては、先ず、物理的に最内周側の位置（ＲＴＯＣ近傍の管理トラック優先領域）において、所定サイズ（例えば１２クラスタ）のボリュームインデックストラック(Volume Index Track)が置かれる。
このボリュームインデックストラックは、例えば上記ＰＴＯＣ、ＲＴＯＣが主的管理情報とすれば、いわば副管理情報が記録される領域として規定されるもので、トラック（ファイル）、フォルダ、及び補助データ(Auxiliary Data)に関すプロパティ、タイトル、及びトラックを形成するパケットデータを管理するための情報が記録されるテーブルを有する。
【００８４】
また、少なくとも最初の１クラスタがＲＴＯＣ近傍の管理トラック優先領域に位置するようにして記録されるトラックとして、サムネイルトラック(Thumbnail Picture Track)がオプションとして配置可能とされている。
本実施の形態においては、ディスクに記録された各ファイルごとに対応付けして、所定解像度による１枚の静止画像をサムネイル画像として有することが可能とされている。サムネイル画像は、ファイルを視覚的に認識可能とするための代表画像として扱われる。
サムネイルトラックには、ディスクに記録されているファイル（トラック）との対応付けと、サムネイル画像の格納位置とが示されるインデックス情報と共に記録される。サムネイルトラックのデータ長は、格納されるサムネイル画像数等に応じて任意に拡張可能とされる。
【００８５】
そして、例えばユーザが撮影等によって記録した画像／音声データはファイル単位で管理され、ボリュームフォルダ内において、トラックとしてボリュームフォルダの下に置かれる、或いは、ボリュームフォルダ以下に置かれるフォルダ内に置かれることになる。
図７では、或る１ファイルが１トラックとして表現された上で、このトラックが或る１つのフォルダ内に格納されている状態が示されている。フォルダは、上述のように、トラック又はフォルダを１グループにまとめて管理するための構造である。
従ってボリュームフォルダ以下の構造においては、ボリュームフォルダ内に格納可能な最大件数と、フォルダの階層構造の最大段数により規定される範囲内で、任意の数のトラック又はフォルダが格納されることになる。
【００８６】
また、ボリュームフォルダ内には、補助データ(Auxiliary Data)が格納される補助データトラック(Auxiliary Data Track)が配置される。
補助データトラックに格納されるべき情報としては、例えば、実際に適用されるアプリケーションによって任意とされる。
本実施の形態においては、再生制御情報としてのスクリプトの情報が格納されることになる。
【００８７】
ところで、上記した管理情報であるＰＴＯＣ，ＲＴＯＣ、また更にはボリュームインデックストラックに格納された情報（これらの情報を総称しても、本実施の形態では「管理情報」ということにする）は、例えば、ディスク装填時において読み出されて、例えば、メディアドライブ部４のバッファメモリ４２（又はバッファメモリ３２）の所定領域に保持される。そして、データ記録時や編集時においては、その記録結果や編集結果に応じてバッファメモリに保持されているこれら管理情報について書き換えを行うようにし、その後、所定の機会、タイミングでもって、バッファメモリに保持されている管理情報の内容に基づいて、ディスク５１の管理情報を書き換える（更新する）ようにされる（但し、ＰＴＯＣについては更新は行われない）。
【００８８】
なお、この図に示すディスク構造例はあくまでも一例であって、ディスク上での各エリアの物理的位置関係は、実際の使用条件等に応じて変更されて構わないし、データが格納される構造も変更されてかまないものである。
【００８９】
６．サムネイル画像生成処理
上記図７に示したサムネイルトラックに格納されるサムネイル画像は、本実施の形態のビデオカメラにより生成することが可能とされるが、ここで、サムネイル画像の生成処理について説明しておく。なお、ここでは一旦ディスクに記録された画像ファイルについてのサムネイル画像を生成する場合について説明する。
【００９０】
前述のように、例えばディスク５１に記録されている管理情報（ＰＴＯＣ、ＲＴＯＣ、ボリュームインデックストラック）は、ディスク装填時などの所定のタイミングで読み出されて、バッファメモリ４２（或いはバッファメモリ３２）に対して格納されているものとされる。
【００９１】
そして、ドライバコントローラ４６は、例えばバッファメモリ４２に格納されている管理情報を参照して、これよりサムネイル画像を生成すべきファイルについて、サムネイル画像として指定されている画像データが記録されているディスク上のアドレスを求め、このアドレスにアクセスしてディスクに対する読み出し動作を実行させることで、サムネイル画像の生成元としての画像データを得るようにされる。
この画像データは、順次メディアドライブ部４からビデオ信号処理部３に伝送され、データ処理／システムコントロール回路３１に供給される。
なお、管理情報によりサムネイル画像の生成元として規定される画像データは、特段の指定が無ければ、例えばファイル中における先頭のフレーム（又はフィールド）画像データが指定されているものとされる
【００９２】
そして、データ処理／システムコントロール回路３１では、供給された画面データについて、先ず、ＭＰＥＧ２ビデオ信号処理回路３３を制御してＭＰＥＧ２フォーマットに従った伸張処理を施し、フィールド画像単位の画像データのレベルにまでデコードしたデータを獲得するようにされる。
【００９３】
例えば、上記フィールド画像単位のレベルにまでデコードされた画像データの段階では、通常は、表示画面に対してほぼフルサイズで表示されるだけの画像サイズ（画素数）を有したデータとされる。
そこで、上記フィールド画像単位によるフルサイズの画像データが得られた後は、このフルサイズの画像データについて縮小処理を行って、実際に必要とされるサムネイル画像のサイズが得られるように処理を行うことになる。
このような画像サイズの縮小のためには、例えば元のフルサイズの画像データに対して、適切なタイミングで画素データに対するサンプリングを行い、このサンプリングした画素データによって画像データを再構成するように信号処理を実行すればよい。
【００９４】
そして、例えばビデオコントローラ３８は、このようにして得られたサムネイル画像データについてのインデックス情報（図７により説明）を生成し、このインデックス情報と共にこのサムネイル画像データをディスクのサムネイルトラックに記録するように制御を実行する。
このようにして、ファイルごとに対応したサムネイル画像データが得られ、ディスクに記録される。
【００９５】
なお、本実施の形態としては、これまでの説明から分かるように、画像データ（音声データを含む）の他、音声のみによる音声データ、更には文字情報データなどもファイルとして記録可能とされるが、例えば、音声データ、文字情報データ等、そのファイル内にサムネイル画像の生成元となる画像データが無いような場合には、例えば、予め音声データや文字情報データであることを視覚的に認識できるような絵柄の画像データを用意しておき（例えばビデオコントローラ３８のＲＯＭ内に格納しておいたり、ディスクの所定領域に格納するなどしておけばよい）、この画像データをサムネイル画像として利用するようにすればよいものである。
【００９６】
７．スクリプト
また、本実施の形態においては、当該ビデオカメラにより記録したファイル（主として録画ファイル）についての、再生順指定や再生時に所要の特殊効果を与えるなどの編集処理を行うことができる。
上記のような編集を行うのにあたり、本実施の形態では、録画ファイルについて所要の再生出力態様を与えることのできる再生制御情報としてのスクリプトを用意し、ビデオカメラにおいては、例えばビデオコントローラ３８がこのスクリプトを解釈することで、編集結果に応じた再生出力態様（例えば再生順）を得るようにするものである。また、編集段階においては、スクリプトの内容の更新を行うことで編集処理を実行するように構成されるものである。なお、ここでいう「スクリプト」とは、動画像データ、静止画像データ、音声データ、更には文書データ等を同時タイミングで再生出力するために、所定のプログラム言語により記述された手続き書き構造をいうものとされる。
【００９７】
そこで先ず、本実施の形態において再生制御情報として利用されるスクリプトについて概略的に説明する。
【００９８】
本実施の形態としては、スクリプトとしてＳＭＩＬ(Synchronized Multimedia Integration Language)を採用するものとする。
ＳＭＩＬとは、例えばインターネット上でのテレビ番組放送、プレゼンテーション等を実現するために、Ｗ３Ｃ（インターネットの標準化団体）で標準化が行われている言語であり、ＸＭＬ（ＨＴＭＬのスーパーセット）の文法に基づき、時系列的なプレゼンテーション等を実現しようとするものである。
【００９９】
先ず、スケジューリングは＜ｓｅｑ＞，＜ｐａｒ＞の２つのタグにより表現される。
＜ｓｅｑ＞は、ｓｅｑｅｎｔｉａｌ、つまり直列を意味し、このタグで囲まれた情報は時間順に再生されることになる。
＜ｐａｒ＞は、ｐａｒａｌｌｅｌ、つまり並列を意味し、このタグで囲まれた情報は同期して再生されることになる。
【０１００】
ここで、例えばディスクに記録されているとされるファイルにおいて、ｖｉｄｅｏ１，ｖｉｄｅｏ２，ｖｉｄｅｏ３として表される画像データのファイルについて、ｖｉｄｅｏ１→ｖｉｄｅｏ２→ｖｉｄｅｏ３の順に再生するように指定した場合には、
0004423698.tif 000002
のようにして記述が行われる。
【０１０１】
また、ファイルｖｉｄｅｏ１→ｖｉｄｅｏ２→ｖｉｄｅｏ３の順に再生すると共に、ｖｉｄｅｏ１に対しては、音声データのファイルであるａｕｄｉｏ１をアフレコトラックとして同時再生させたいときには、
0004423698.tif 000003
のようにして記述が行われることになる。
【０１０２】
また、或るファイルと同期再生させるべきファイルについて、この或るファイルが再生されて何秒後の位置から再生させる等の指定を行うための記述も用意されている。
例えば、ｖｉｄｅｏ１の画像ファイルが表示（再生）されてから５秒後にキャプション（例えば文字情報としての画像）を表示させるような場合には、
0004423698.tif 000004
のようにして記述が行われることになる。
【０１０３】
また、例えば静止画ファイルとしてのファイルｐｉｃｔｕｒｅ１を５秒間表示するように指示するのであれば、
＜ｉｍａｇｅ  ｓｒｃ＝”ｐｉｃｔｕｒｅ１”  ｄｕｒ  ＝  ”５ｓ”＞
のようにして記述される。
【０１０４】
また、いわゆるフレームミュートといわれ、或る動画ファイルの一部を抜き出すようにして再生する場合には、「ｒａｎｇｅ」を利用する。例えば、タイムコードとしてＳＭＰＴＥ(Society of Motion Picture and Television)の規格を採用しているとして、
＜ｖｉｄｅｏ  ｓｒｃ＝”ｖｉｄｅｏ１”ｒａｎｇｅ＝”ｓｍｐｔｅ：１０：０７：００−１０：０７：３３”＞
のようにして記述することができる。
【０１０５】
また、或るファイルを指定してリピートを行うのには、「ｒｅｐｅａｔ」を利用する。例えばｖｉｄｅｏ１のファイルを１０回リピートするのであれば、
＜ｖｉｄｅｏ  ｓｒｃ  ＝  ”ｖｉｄｅｏ１”ｒｅｐｅａｔ  ＝  ”１０”＞
のようにして記述する。
【０１０６】
そして本実施の形態においては、このような、ＳＭＩＬといわれるスクリプトを利用し、サムネイル表示として所要の表示形態を与えるための表示制御を実行可能に構成されるものである。
このため、例えば本実施の形態のビデオカメラシステムにおいては、このＳＭＩＬに対応した解釈、及びスクリプトの記述（生成）が行えるように、ＸＭＬのサブセットが用意されることになる。これは、例えばビデオコントローラ３８が実行すべきプログラムとして、ビデオコントローラ３８内のＲＯＭ等に予め格納したり、或いはディスクのアプリケーションレイヤーに対して記録して、読み出しが行えるようにしておけばよい。
【０１０７】
本実施の形態においては、このようなスクリプトは、例えば、編集段階（又は録画操作を行っている段階）において、ビデオコントローラ３８が生成又は更新を行って、例えばバッファメモリ３２内の所定領域に保持しておくものとされる。
そして、このようにしてバッファメモリ３２に保持されたスクリプトを、所定の機会、又はタイミングでもってディスクに記録するようにされる。このスクリプトのデータは、図７にて説明した補助データトラック(Auxiliary Data Track)に対して、スクリプトファイルとして格納されることになる。このようにしてディスクにスクリプトが記録されることで、次にこのディスクを新たに装填したときには、このディスクに記録されたスクリプトを読み出し、例えば、バッファメモリ３２に対して保持させてこれを参照することで、以前の編集により得られた再生順等に従って編集再生等を行うことが可能となるものである。
【０１０８】
８．サムネイル表示
本実施の形態のビデオカメラでは、ディスクに記録されたファイルの検索や各種編集処理を行うのにあたり、ディスクに記録されたファイルごとに対応するサムネイル画像を提示する、いわゆるサムネイル表示を行う。このサムネイル表示はいわゆるＧＵＩとして、記録再生、及び編集操作のための操作画面として利用される。そこで、本実施の形態におけるサムネイル表示の基本的な表示形態例について図８を参照して説明する。
【０１０９】
なお、以降の説明において扱うファイルとしては、説明の便宜上、録画ファイルであることを前提として説明することとする。録画ファイルとは、前述したように、当該ビデオカメラにより撮影した画像を録画して得られる動画像ファイルであって、同時にマイクロフォンにより収音された音声も含まれ得るファイルのことである。
【０１１０】
例えば、本実施の形態のビデオカメラ装置に対してファイルが記録済みのディスクを装填した状態で、メインダイヤル３００を操作して電源をオフからオンの状態にしたとすると、例えば表示部６Ａの表示画面に対しては、初期画面として、図８に示すサムネイル表示が行われるようにされる。
【０１１１】
この図に示すサムネイル表示としては、最大１２ファイル分のサムネイル画像が表示可能とされており、ここでは、１２ファイル分のサムネイル画像の表示領域に対してサムネイル画像４０１，４０１・・・が表示されている状態が示されている。
【０１１２】
また、ここで各サムネイル画像４０１内に示される、（１）〜（１２）の数値は、前述したスクリプトにより指定されるファイル再生順を示しているものとされる。つまり、本実施の形態においては、スクリプトにより指定されるファイル再生順に従った所定の配列順によってサムネイル画像が表示されることになる。
【０１１３】
サムネイル画像の生成処理は前述したとおりであり、また、生成されたサムネイル画像データを利用したサムネイル表示のための画像処理、及びこれを実現するための制御処理についてはここでの説明は省略するが、サムネイル表示は、例えば、スクリプトによって指定されるファイル再生順に従って、図８に示すようにして、各ファイルに対応するサムネイル画像４０１を例えばデータ処理／システムコントロール回路３１内にあるＶＲＡＭ上で配列するようにして表示画像データを生成して映像信号として出力することで可能となるものである。
【０１１４】
そして、図８に示すような本実施の形態のサムネイル表示を見ることで、ユーザは、ディスクに記録されているファイルの内容を視覚的に認識することができると共に、これらファイルについての再生順も視覚的に把握することが可能となるものである。
【０１１５】
また、このサムネイル表示においては、１つのサムネイル画像を指定するためのポインタ４０２が表示される。このポインタ４０２は、例えば十字キー３１０に対して行われた操作に従った方向に、順次隣接するサムネイル画像４０１を移動するようにして表示が行われるものとされる。なお、サーチキー３０８，３０９を用いて、再生順に従ってポインタ４０２がサムネイル画像間を移動できるようにしてもよい。
【０１１６】
この場合、ポインタ４０２は、再生又は記録開始位置の基点となるファイルを選択指定するものとされる。
例えば再生に関すれば、ユーザは、上記十字キー３１０（或いはジョグダイヤル３１１）等の操作により、ポインタ４０２を所望のファイルに対応するサムネイル画像に対して配置させるための操作を行った後、再生キー３０６を操作するようにされる。これにより、ビデオカメラでは、再生キー３０６の操作時点においてポインタ４０２が配置されていたサムネイル画像が対応するファイルについての再生を開始するようにされる。
また、上記のようにしてファイルの再生を開始した後においては、再生停止のための操作が行われるまで、スクリプトにより指定されたファイル再生順に従って、順次ファイルが再生されていく。具体的には、図８に示す再生順（７）のファイルを選択して再生を開始したとすれば、以降は、再生順（８）（９）（１０）・・・の順にファイル再生が行われていくことになる。
また、再生されるべきファイルにアフレコトラック（後から録音して付随させた音声トラック）が付随するようにして管理されているのであれば、このアフレコトラックもスクリプトの記述内容に従って、同期して再生される。
なお、ファイル再生が行われているときには、上記図８に示したサムネイル表示の代わりにその再生画像が表示されることになる。また、再生が停止されれば図８に示すサムネイル表示に戻るようにされればよい。
【０１１７】
ここで、図８に示すサムネイル表示が実現されるためのスクリプトの記述内容例を以下に示しておく。前述したように、サムネイル表示におけるサムネイル画像の配列順はスクリプトにより記述された再生順に基づく。従って、以下に示すスクリプトは、図８に示されている各サムネイル画像が対応する１２のファイルの再生順を示すスクリプトである。
ここで、図８のサムネイル画像として示されている（１）〜（１２）の再生順に対応する録画ファイルのファイル名が、それぞれＶｉｄｅｏ１〜Ｖｉｄｅｏ１２であるとすると、そのスクリプトの内容は、
0004423698.tif 000005
のようにして記述されることになる。
【０１１８】
９．重要度の指定
また、特に本実施の形態にあっては、ディスクに記録されたファイルに付随する情報として重要度を与えることができるものとされている。
この重要度は、ユーザにとって重要であるとして扱いたいファイルを指定するものであり、例えば先に本出願人が提案（特願平１０−１４１９６号）したように、録画ファイルの撮影記録時において、撮影者（ユーザ）が所定操作を行うことで指定することが可能とされる。また本実施の形態としては、ファイル録画後において、所定操作によって任意のファイルに対して設定することも可能とされる。
また、録画後におけるファイルの再生頻度に応じて、機器側で自動的に重要度を付すようにすることも可能である。
更には、上記したユーザの操作による重要度の設定と、再生頻度に応じた重要度の設定とを併用することも可能とされる。
【０１１９】
また、重要度としては、単に重要であるものとないものとでの２段階が最小の段階数となるが、実際の使い勝手を考慮して、３段階以上の重要度が設定できるようにして構わない。特に、再生頻度に応じた重要度の自動設定であれば、煩わしい操作手順を踏むことなく、再生頻度に対応して比較的多数段階に重要度を設定することが容易に可能とされる。
このように、本実施の形態の重要度の設定方法、及び重要度の設定段階数としては任意とされて構わないものである。
【０１２０】
そして、本実施の形態のサムネイル表示にあっては、重要度が与えられたファイルに対応するサムネイル画像４０１に対しては、重要度が与えられていることを示す重要度指定マーク４０３を追加的に表示するようにして構成される。
ここで、再度図８を参照してみると、この図においてはｖｉｄｅｏ１０としてのファイルに対応するサムネイル画像４０１に対して重要指定マーク４０３が表示されている状態が示されている。
ここでの重要指定マーク４０３は、ｖｉｄｅｏ１０のサムネイル画像４０１の表示領域内に合成されるようにして、円形の重要指定マーク４０３が表示されている。また、この重要指定マーク４０３としての円形内には、「５」という値が示されているが、ここではこの値は、重要度の段階数を示すものとされる。例えば重要度の低いものから高いものまで、「０」〜「５」の自然数を用いて段階的に示されているとすれば、このｖｉｄｅｏ１０のサムネイル画像４０１は、重要度５とされて、最も重要度が高いものであることが示されている。
【０１２１】
なお、上記した１つのサムネイル画像４０１に対して示される重要指定マーク４０３の表示形態は、図８に示すものに限定されないものであり、例えば重要指定マークが指定するサムネイル画像が視覚的に認識可能な表示形態を採った上で、サムネイル画像４０１の表示領域外に対して重要指定マーク４０３を表示させても構わないものである。また、重要指定マーク４０３自体のデザインも任意に変更可能である。
【０１２２】
このような重要度の設定状況が反映されたサムネイル表示を実現するためには、ファイルごとに対応して与えられた重要度を示すための情報を用意することが必要となる。つまり、サムネイル表示にあっては、重要度を示す情報を参照することで、上記図８に示すようにして重要度指定マーク４０３が表示されるようにサムネイル表示画像の生成処理を行うことが必要になるものである。
【０１２３】
このような重要度を示す情報としては、例えば先に説明したようなファイル再生順を指定するスクリプトに対して所定の形式に従って挿入するようにしても良いものである。
【０１２４】
また、図９に示すようにして、スクリプトとは個別にディスクに記録されたファイルごとに設定された重要度を指定するための重要度対応テーブルを設けることも考えられる。
ここでは、０〜５までの６段階による重要度を設定できるものとする。また、ディスクに対して記録された録画ファイルとしては、ファイルナンバ＃１〜＃１００の１００のファイルが記録されているものとする。
そして、例えば重要度対応テーブルの内容としては、図１１に示すように、ディスクに記録されている録画ファイルのファイルナンバ＃１〜＃１００ごとに対応して、重要度としての値０〜５のうち、実際に与えられたとされる重要度の値が適宜格納されるようにして形成される。ここで、重要度としての値が０とされる場合は、そのファイルに対しては重要度が設定されていない場合に対応するものとされる。
【０１２５】
このような重要度対応テーブルは、例えば、図７にて説明した補助データトラック(Auxiliary Data Track)に対して格納されるものとしてディレクトリの指定が行われてディスクに記録されるようにすればよい。
【０１２６】
１０．ファイル検索
１０−１．動作の概要
続いて、これまで説明したビデオカメラの構成を前提として、本実施の形態としての録画ファイルの検索の概要について具体例を挙げて説明する。この説明には主として図１０及び図１１を参照する。
【０１２７】
ここで、例えば現在、表示部６Ａには図１１（ａ）に示すようにしてサムネイル表示が行われているものとする。ここでは、ｖｉｄｅｏ１〜１２までの１２の録画ファイルに対応するサムネイル画像４０１が表示されている状態にある。また、ここでは、ｖｉｄｅｏ４のサムネイル画像４０１に対してポインタ４０２が配置されており、ｖｉｄｅｏ４としての録画ファイルが選択されている状態にある。
なお、ここでは、サムネイル画像４０１としては、具体的な画像表示は省略してその録画ファイルのファイルナンバのみを示している。また、以降においては、個々の録画ファイルのファイルナンバを記すのにあたり、上記のようにｖｉｄｅｏ  ｎ（ｎは整数又は自然数）と表記するほか、ファイルナンバ＃ｎとも表記する。
また、図８の説明によれば、サムネイル画像に対して重要度が設定されていれば、その重要度を示す重要度マーク４０３が表示されるのであるが、図１１（ａ）においては、便宜上、その図示は省略している。
【０１２８】
先に、図６においても説明したように、本実施の形態ではジョグダイヤル３１１を操作することによって、サムネイル表示が行われている状態の下で、録画ファイルの検索を行うことができる。
ジョグダイヤル３１１によるファイル検索の操作を簡単に述べておくと、例えばジョグダイヤル３１１を正方向に回転させれば、その回転ステップ数に応じて現在ポインタ４０２により選択されているファイルのナンバをインクリメントするようにして選択されるファイルが切り替わっていくようにされる。つまり、ポインタ４０２によって選択されるサムネイル画像が変更される。逆に、ジョグダイヤル３１１を逆方向に回転させれば、その回転ステップ数に応じてファイルナンバをデクリメントさせるようにして選択されるファイルが切り替わっていく。
【０１２９】
ここで、図１１（ａ）に示すようにして、ファイルナンバ＃４の録画ファイルが選択されている状態にあるものとする。そして、この状態からの具体的なファイル検索操作例に応じた動作を図１０に示す。
【０１３０】
図１０においては横軸に沿って、ディスクに記録されている録画ファイルのファイルナンバが示されている。ここではファイルナンバ＃１〜＃１００までの１００の録画ファイルが記録されているものとした状態が示されている。そして、このように示された録画ファイルごとに対応して、実際に与えられたとされる重要度が示されている。ここでは、０〜５までの６段階によって重要度を指定できるものとしており、ここに示されているファイルには０〜５までの何れかの重要度の値が与えられている。
【０１３１】
そして、以降説明する、ユーザのジョグダイヤル３１１に対する具体的操作手順に応じたファイル検索動作は、図１０における手順▲１▼〜▲５▼として示される。
手順▲１▼としては、サムネイル表示上における現在の選択ファイルがファイルナンバ＃４として設定されていることを示している。つまり、図１１（ａ）に示した表示状態に対応しているものである。
【０１３２】
この状態の下で、手順▲２▼として示すようにして、ユーザがジョグダイヤル３１１を正方向に４４クリック分回転させたとする。つまり、＋４４回転ステップの操作を行ったものとする。また、このときの＋４４回転ステップさせたときの操作は、比較的短時間のうちに行われたものとされ、操作時間ｔとしては予め設定された所定時間Ｔ＝１秒よりも短かったものとする。つまり、ｔ＜Ｔの関係が得られたものである。
ここで、所定時間Ｔとしては１秒としているが、これはあくまでも一例で、例えば実際に、ユーザが多くのステップ数を短時間で回したときに得られる時間を考慮して設定されればよいものである。
ジョグダイヤル３１１に対する操作として、ユーザが多くのステップ数を短時間で回すときとは、現在選択されているファイルナンバから、相当に離れたナンバの録画ファイルを検索するような場合である。
【０１３３】
また、実際のジョグダイヤル３１１の操作にあっては、送るべきステップ数が多ければ多いほどジョグダイヤル３１１を回転させる操作が複数回繰り返して行われるのであるが、ここでいう操作時間ｔとしては、上記のようにして複数回の回転操作の間の休止時間が所定の短時間（例えば１秒程度）以内である場合には、連続した操作時間として扱うようにする。つまり、複数回の回転操作が行われたとしても、これが休むことなく連続的に行われたとされる場合には、１度の回転操作として扱うようにして、この１度の回転操作に要した時間を操作時間ｔとして検出する。
【０１３４】
このようにして、例えばユーザが所定時間Ｔよりも短いとされる短時間のうちにジョグダイヤル３１１に対する回転操作を行った場合には、次の手順▲３▼以降に示す検索動作を実行することになる。
【０１３５】
上記手順▲２▼では、ファイルナンバ＃４が選択されていた状態を基点として、＋４４ステップの回転操作が行われた。
これに対応して、本実施の形態のファイル検索動作としては、手順▲３▼としての動作を実行する。つまり、
ファイルナンバ＃４＋４４（回転ステップ数）＝４８
として表されるように、ジョグダイヤル３１１に対して行われた操作によって得られたステップ数に基づき、ファイルナンバ＃４から＋４４ステップ分のインクリメント（アップカウント）を行うことで、ファイルナンバ＃４８のファイルを選択する。
但しこの場合において、上記のようにして手順▲３▼として選択するファイルナンバは、以降説明するようにして、最終的に選択されるファイルナンバを決定するのに基準となる「基準ファイルナンバ」とされる。つまり、図１０に示す例では、基準ファイルナンバ＃４８が設定されているものである。
【０１３６】
そして、続く手順▲４▼の動作としては、基準ファイルナンバ＃４８を基準として、
４８−Ａ１≦４８≦４８＋Ａ２
で示されるファイルナンバ範囲を設定する。
ここでＡ１は基準ファイルナンバより前のファイルナンバ範囲を決定するための設定値、Ａ２は基準ファイルナンバより後ろのファイルナンバ範囲を決定するための設定値であり、
Ａ１＝Ａ２＝３
であるものとする。従ってここでは、図１１にも示されるようにして、上記ファイルナンバ範囲として＃４５（４８−３）〜＃５１（４８＋３）が設定されることになる。
【０１３７】
なお、ここでは、上記のようにＡ１＝Ａ２＝３としているが、これは説明の便宜を考慮したもので、実際にあっては、設定値Ａ１，Ａ２としての値はより大きな数値が採用されることが実用的である。また、必ずしも設定値Ａ１，Ａ２が同じ値である必要もない。
【０１３８】
そして、続く手順▲５▼にあっては、上記手順▲４▼にて設定されたファイルナンバ範囲に含まれるファイルナンバを選択候補として、これらの選択候補となるファイルナンバのうちから、最も高い重要度が与えられたファイルナンバを検索する。
この場合であれば、選択候補となるファイルナンバは、＃４５，＃４６，＃４７，＃４８，＃４９，＃５０，＃５１の７つのファイルナンバとされることになる。そして、これら７つのファイルナンバのうちにおいて最も高い重要度が付されているのは、図１１からも分かるように、重要度の値として「５」が与えられたファイルナンバ＃５０とされる。そこで、この場合には検索結果としてファイルナンバ＃５０が得られることになる。そして、このファイルナンバ＃５０を新規に選択されたファイルとして決定する。
【０１３９】
そして、このようにして新規に選択されたファイルナンバは、サムネイル表示上では、先に示した図１１（ａ）から図１１（ｂ）への表示状態の遷移として反映される。
つまり、表示部６Ａに表示されるサムネイル表示としては、図１１（ｂ）に示すようにして、新規に選択されたファイルナンバ＃５０を含めるようにしてサムネイル画像４０１が配列表示される状態に変更される。ここではファイルナンバ＃４９〜＃６０までの１２のファイルに対応するサムネイル画像が表示された状態が示されている。このうえで、ファイルナンバ＃５０に対しては、ポインタ４０２が配置表示されることで、このファイルナンバ＃５０が選択されていることを示すようにされる。
また、先にも述べたように、本実施の形態にあっては、サムネイル画像４０１に対して重要度を示す重要度マーク４０３が表示されるのであるが、図１１（ｂ）では、ファイルナンバ＃５０のサムネイル画像４０１に対して、重要度の値としては「５」を示す重要度マーク４０３が表示されている。
なお、実際には、図１１（ｂ）に示すサムネイル表示上において、他のサムネイル画像４０１にも重要度に応じた値を示した重要度マーク４０３が表示されているものであるが、ここでは、その図示については省略している。
【０１４０】
例えば、実際においてユーザが検索の対象とするファイルは、比較的ユーザが頻繁に再生して利用する機会の多いファイルである可能性が高い。つまり、ユーザにとって重要度の高いファイルが検索対象となる確率は高いものである。
【０１４１】
そこで、本実施の形態としては上記のような実際の使用状況を考慮して、ユーザの操作若しくは自動的（例えば再生頻度等）にファイルに対して重要度を設定できるようにしておき、図１０にて説明したように、例えばジョグダイヤル３１１に対する回転操作を短時間で行った場合には、回転操作によるファイルナンバの送り先において重要度の高いファイルナンバが自動的に選択されるようにされる。つまり、そのディスクに記録されているファイルの中でも、主要（ユーザにとって重要性が高い）とされるファイルが選択されるようにしている。
【０１４２】
このような構成とすれば、例えば現在選択されているファイルナンバからかなり離れたファイルナンバを検索するために、ジョグダイヤル３１１に対する回転操作を多数回行ったような場合であっても、ユーザが目的とするファイルが選択される可能性は高くなる。
逆に言えば、予めの操作などによって、ユーザが頻繁に検索するファイルについては高い重要度を設定するようにしておけば、これまで説明したファイル検索の手順によって目的のファイルが正確に検索される確率は更に高まることになる。
なお、一度の回転操作でユーザが目的とするファイルが選択されなかったとしても、このとき選択されたファイルは重要度が高いファイルであるために、例えば、重要度の低いファイルが選択される場合よりも、検索結果の認識が行いやすく成り、例えば、引き続き目的のファイルを検索するための次の回転操作について、その回転方向や送り量（回転ステップ数）を予測して、より正確性のある検索を行っていくことが可能になる。
【０１４３】
なお、上記図１０による説明において、例えば手順▲２▼としてのジョグダイヤル３１１の回転操作にあって、その操作時間ｔが、所定時間Ｔ（１秒）を越えたとされる場合には、手順▲３▼以降の動作は実行しないものとされる。そして代わりに、手順▲２▼にて検出された回転ステップ数に応じてインクリメント、又はデクリメントして得られたファイルナンバを新規の選択ファイルとして決定するようにされる。
操作時間ｔが、所定時間Ｔ（１秒）を越えたとされるときは、例えばユーザが自分で正確さを意識しながらファイル検索を行っているとされる場合で、ゆっくりと１回転ステップずつ確認を行いながらジョグダイヤルを操作しているような場合である。
【０１４４】
また、手順▲５▼において、ファイルナンバ範囲内で重要度が最も高いファイルを検索した結果として、複数のファイルナンバが検索された場合（ファイル範囲内で最も高い重要度を有するファイルが複数あった場合）の対応については、いくつか考えられるものであるが、例えば、これらのファイルナンバのうちで、基準ファイルナンバに最も近い、若しくは遠いとされるファイルナンバを選択するようにすることが考えられる。若しくは、これらファイルナンバのうちから最も若いファイルナンバを選択することが考えられる。逆に最も大きなファイルナンバを選択することが考えられる。
また、上記した各規則を適宜併用することも考えられる。
【０１４５】
更には、手順▲５▼としての検索結果として、ファイルナンバ範囲内の全てのファイルナンバに対して与えられた重要度が同一である場合（全てに対して重要度が設定されていない場合（重要度の値が「０」）である場合も含む）には、基準ファイルナンバを新規の選択ファイルとして決定するようにすればよい。
これを図１０に対応させれば、ファイルナンバ＃４５，＃４６，＃４７，＃４８，＃４９，＃５０，＃５１の７つのファイルナンバに対して、同一の重要度が設定されている、又は重要度が全く設定されていないとされる場合であって、この場合にはファイルナンバ＃４８が新規の選択ファイルとして設定されるものである。
【０１４６】
１０−２．処理動作
続いて、上記したファイル検索動作を実現するための処理動作について、図１２のフローチャートを参照して説明する。
なお、この図に示す処理は、ビデオコントローラ３８がマスターコントローラとして機能して、処理動作を実行すると共に、ビデオカメラを構成する所要の機能回路部を制御することで実現されるものである。
【０１４７】
この図に示す処理にあっては、先ずステップＳ１０１において現在の選択ファイルナンバについて、変数ｎとして保持するようにしている。これは、図１１であれば手順▲１▼に対応する。
そして、続くステップＳ１０２においてジョグダイヤル３１１が回転操作されるのを待機する。そして、ジョグダイヤル３１１が回転操作されたのであればステップＳ１０３に進む。
【０１４８】
ステップＳ１０３においては、ジョグダイヤル３１１に対して行われた回転操作を検出する。
ここでは、回転ステップ数Ｐ、及び操作時間ｔを検出する。
ここでの回転ステップ数Ｐは、先にも述べたように、正逆の回転方向に応じた正／負の値として得られるものである。操作時間ｔは図１０にて説明したようにして、複数回の回転操作の間の休止時間が所定の短時間（例えば１秒程度）以内である場合には、連続した操作時間ｔとして扱うようにして検出が行われる。
【０１４９】
次のステップＳ１０４では、上記ステップＳ１０３にて検出された操作時間ｔについて、図１０の手順▲２▼としても説明した所定時間Ｔと比較して、
ｔ＜Ｔ
が成立するか否かについて判別する。つまり、操作時間ｔが所定時間Ｔよりも短いか否かについて判別を行う。
そして、ステップＳ１０４において肯定結果が得られたのであれば、ステップＳ１０５以降の処理に進むことになる。ステップＳ１０５以降の処理は、図１０に示した手順▲３▼以降の動作に対応する。これに対して、否定結果が得られた場合には、ステップＳ１０９に進む。
【０１５０】
ステップＳ１０５においては、ステップＳ１０３にて検出された回転ステップ数Ｐ、ステップＳ１０１にて保持されている現在の選択ファイルナンバｎ、及び図１０にて説明したファイル範囲指定のための設定値Ａ１，Ａ２とを利用して、
（ｎ＋Ｐ−Ａ１）〜（ｎ＋Ｐ−Ａ２）
で表される数値範囲をファイルナンバ範囲として設定する。ここで、上記式における（ｎ＋Ｐ）の項は、図１０の手順▲３▼として設定される基準ファイルナンバに該当する。
【０１５１】
つぎのステップＳ１０６においては、上記ステップＳ１０５にて設定されたファイルナンバ範囲に含まれるファイルナンバのうちから、最も高い重要度が設定されているファイルナンバｍを検索する。
【０１５２】
録画ファイルに対して設定された重要度を示す情報として、例えば図９に示した重要度対応テーブルが設けられるものとして規定されているとすれば、例えばディスクが装填されたときのタイミングにより、ディスクに記録された重要度対応テーブルを読み出して、バッファメモリ３２（又はバッファメモリ４２とされてもよい）に対して、他の管理情報と共に保持しておくようにされる。
そして上記ステップＳ１０６においては、このバッファメモリに保持されている重要度対応テーブルを参照して、ファイルナンバ範囲に含まれるファイルナンバのうちから、最も高い重要度が設定されているファイルナンバｍの検索を行うようにされる。
そして検索結果が得られたのであればステップＳ１０７に進むようにされる。
【０１５３】
ステップＳ１０７においては、上記ステップＳ１０６において得られた検索結果がどのようなものとされていたのかについて判別を行う。
ここで、検索結果として、ファイルナンバ範囲内で最も高い重要度が設定されているファイルナンバｍを１以上検索（但し、ファイルナンバ範囲に含まれるファイルナンバの全てを検索した場合を除く）した場合にには、ステップＳ１０８に進む。
これに対して、検索結果として、ファイルナンバ範囲内で最も高い重要度が設定されているファイルナンバｍが、ファイルナンバ範囲に含まれるファイルナンバの全てとされた場合、若しくは、ファイルナンバ範囲に含まれるファイルナンバの全てに対して重要度が設定されていなかった場合には、ステップＳ１０９に進む。
【０１５４】
ステップＳ１０８においては、これまで保持していた選択ファイルナンバとしての変数ｎについて、上記ステップＳ１０８にて検索されたファイルナンバｍに置換する処理を実行する。
この際、ステップＳ１０６における検索結果として、ファイルナンバ範囲内で最も高い重要度が設定されているファイルナンバｍが複数検索された場合には、例えば先に説明したようにして、予め決定しておいた所定の規則に従って１つのみを決定し、この決定されたファイルナンバｍにより、これまでの選択ファイルナンバとしての変数ｎを置換するように処理を実行するものとされる。
【０１５５】
先に説明したステップＳ１０４又はステップＳ１０７からステップＳ１０９に進んだ場合、このステップＳ１０９においては、これまで保持していた選択ファイルナンバとしての変数ｎについて、先のステップＳ１０５にてファイルナンバ範囲を設定する際に求めた基準ファイルナンバ（ｎ＋Ｐ）に置換する処理を実行する。
【０１５６】
上記ステップＳ１０８又はステップＳ１０９の処理によって、図１０にて説明したファイル検索動作自体は終了するのであるが、上記ステップＳ１０８又はステップＳ１０９の処理に続くステップＳ１１０によって、新規に選択されたファイルナンバをサムネイル表示に反映させるための処理が実行される。
つまり、データ処理／システムコントロール回路３１における表示画像データの生成処理動作を制御して表示部６Ａに対して画像表示を実行させることで、例えば図１１（ａ）から図１１（ｂ）に示したようにしてサムネイル表示が切り替わるようにするものである。
【０１５７】
なお、たとえ所定時間Ｔ以内の短時間の操作であっても、少ない回転ステップ数による回転操作であるような場合には、ステップＳ１０５以降の処理を実行すると、逆に目的のファイルを外して重要度の高いファイルを選択してしまうといった不都合が生じるような場合も考えられ無くはない。そこで、例えばステップＳ１０４の処理としては、例えば操作時間ｔと所定時間Ｔとの判別に加えて、回転ステップ数Ｐが所定数以上であるか否かについても判別を行い、これらについて共に肯定結果が得られた場合にステップＳ１０５に移行するように構成しても良いものである。
この際に回転ステップ数Ｐと比較されるべき所定数としては、一般的な操作を想定した場合に、ユーザが現在の選択ファイルから相当に離れたファイルナンバを選択することを意図した操作を行っているとされるのに足る回転ステップ数に基づいて設定されればよいものである。
【０１５８】
１１．変形例
１１−１．第１の変形例
続いて、本実施の形態としての変形例について説明することとし、先ず第１の変形例について説明する。
第１の変形例としては、これまで説明したファイル検索動作を携帯電話に適用するものである。
図１３（ａ）に、第１の変形例としての携帯電話の外観を斜視図により示す。
この図に示す携帯電話５００は、その本体５０１の前面部に対し、例えば図のようにして、表示部５０２、操作キー部５０３が配されている。
そしてこの場合には、本体５０１の前面に配置されたダイヤル操作指示部５０４に対応する位置の側面部に対して、ジョグダイヤル５０５が設けられている。
【０１５９】
図１３（ｂ）は、ジョグダイヤル５０５が設けられている側面部位を、図１３（ａ）の矢印Ａ方向から見て拡大した斜視図であり、ジョグダイヤル５０５は図のようにして、ダイヤルの一部が本体に表出した状態で回転可能に取り付けられている。
この位置に対応して前面部に形成されるダイヤル操作指示部５０４は、ジョグダイヤル５０５の在処と、その操作を指示するために設けられているもので、このダイヤル操作指示部５０４に形成されている矢印は、正／逆両方向に対する回転操作が可能であることと、ジョグダイヤル５０５に対する押圧によってクリック操作が可能であることが示されている。
【０１６０】
このような携帯電話５００において、先に図１０にて説明したファイル検索動作は、電話番号帳から所望の電話番号を選択する際に適用される。
例えば、この携帯電話５００のメモリには、図１４に示すような電話帳テーブルが保持されているものとする。この電話帳テーブルにあっては、例えば登録番号０００〜２５５までが用意されることで２５６の電話番号が登録可能とされており、各登録番号に対応して、実際に登録された電話番号と名前の組み合わせが格納され、更にここでは、各登録番号に対応して重要度も登録可能とされている。
【０１６１】
この変形例においては、各登録番号（電話番号）に対して与えられる重要度は、これまでに発信した頻度に対応して自動的に設定されるものとされ、ここでは、例えば０〜１０までの１１段階の間で設定可能とされている。
即ち、ここでのファイルは、登録番号ごとに対応する電話帳のリスト情報とされるものである。
なお、この図に示した電話帳テーブルのデータ構造、及びここでの重要度設定段階数はあくまでも一例である。
【０１６２】
そして、ジョグダイヤル５０５に対する操作による電話番号の検索は次のような手順により行われる。
例えば図１０に示した手順に従って、ユーザがジョグダイヤル５０５を操作したことで、所定時間Ｔ以内に或る程度の回転ステップ数が得られたとする。
すると、携帯電話５００では、図１０に示した手順▲３▼以降の動作に準じて、新規のファイル（登録番号に対応する電話帳リスト）を選択するようにする。つまり、それまで選択されていた電話番号の登録番号と回転ステップ数とに基づいて基準の登録番号を設定して、これを基点として所定のファイル範囲（登録番号範囲）を設定する。そして、この登録番号範囲の中で最も重要度の高い登録番号を新規に選択するものである。
そして、このときの操作は、例えば表示部５０２において所定の表示形態によって反映されるものである。
【０１６３】
そして、このようにして或る登録番号に対応する電話番号を選択して、例えばジョグダイヤル５０５に対するクリック操作を行うと、その選択された電話番号に対して発信が行われるようになっている。
【０１６４】
このような構成であれば、先に説明した実施の形態と同様に、現在選択されている登録番号からかなり離れた登録番号の電話番号を検索するために、ジョグダイヤル５０５に対する回転操作を短時間のうちに多数回行うことで、その登録番号の送り先の或る範囲内で最も重要度の高いファイルが検索される。
例えば、一般的な携帯電話の利用を考えてみると、多数登録した電話番号のうち日常的に使用する電話番号はいくつかに限られるため、この例のように、発信の頻度に応じて重要度を与えるようにしていることで、ユーザが目的とする電話番号が選択される可能性は高くなものである。更には、ユーザ自身が重要度を設定するための操作を行う必要も特にない。
【０１６５】
なお、実際の携帯電話にあっては、ジョグダイヤルに対する操作によって電話番号帳の作成（名前などの文字入力）や、メニューの選択なども行うことができるようにされているのが一般的であるが、例えばメニュー選択操作に関しても、例えば使用されたメニューに応じた重要度を設定して、上記した電話番号の検索と同様にして、ジョグダイヤル５０５の操作に応じたメニュー選択が行われるようにすることも考えられる。
このように、本発明を携帯電話の電話番号の検索等に適用することで、その使い勝手は大幅に向上されるものである。
【０１６６】
なお、ここでは携帯電話を例に挙げているが、これに準じて据え置き型の電話機に対しても本実施の形態としてのファイル（電話番号）検索の構成を適用することが可能とされる。
【０１６７】
１１−２．第２の変形例
続いて、本発明の実施の形態としての第２の変形例について説明する。
近年は、例えばＭＤ(Mini Disc)など、ユーザが楽曲等をオーディオデータとして録音することのできるディスクメディアが普及している。そして、これに対応する記録又は再生装置として、再生専用、又は記録再生可能な可搬型のＭＤプレーヤも広く普及している。このようなＭＤシステムにあっては、オーディオデータは、例えば楽曲ごとの区切りに対応したプログラム（ここではトラックともいうことにする）単位で管理される。
そして第２例としては、先に図１０により説明した本実施の形態としてのファイル検索の操作手順及び動作を、このＭＤプレーヤに対して適用するものである。
【０１６８】
図１５は、このような可搬型ＭＤプレーヤの外観を示す斜視図である。
この図に示す可搬型ＭＤプレーヤ６００は、本体６０１に対して表示部６０２が設けられる。また、この表示部６０２を含む本体６０１の上面部は、開閉可能な蓋部６０１ａとされ、この蓋部６０１ａを開くことでＭＤを装填又は取り外すことが可能とされている。
また、図において、蓋部６０１ａの右に位置する本体上面部には、ＭＤの記録又は再生に関する各種操作を行うためのキーが配列された操作部６０３が設けられている。そして、この操作部６０３としての位置には、例えば図に示すようにしてジョグダイヤル６０４が、その一部が本体上面に表出するようにして設けられる。
また、この図においては、ユーザが再生音声を聴くためのイヤドライバ６０５が本体部６０１の側面に接続されている状態も示されている。
【０１６９】
このようなＭＤプレーヤにあっては、ジョグダイヤル６０４の操作によって、、トラックネームやディスクネームなどの文字情報を入力したり、装填されたディスクに記録されているトラックのトラックナンバを送って選択するなどの操作を行うことが出来るが、先に図１０により説明した本実施の形態としてのファイル検索手順及びその動作は、このトラックナンバの選択に用いることができる。
即ち、この変形例にあっては、ジョグダイヤルを使用しての検索対象としてのファイルは、ディスクに記録されたトラックとされるものである。
【０１７０】
この場合には、例えばトラックの再生頻度、又はユーザの所定操作に基づいて重要度を設定し、例えばＭＤの所定領域に対して所定の形式によりトラックと重要度を対応させた「重要度管理情報」を記録しておくようにする。例えば、ＭＤフォーマットでは、図示等に依る詳しい説明は省略するが、補助的にオーディオデータ以外の情報を記録可能なＡＵＸデータエリアを使用できることが規定されているので、上記重要度管理情報はこのＡＵＸデータエリアを使用して記録させておくことが考えられる。
【０１７１】
そして、図１０に示した手順▲３▼以降に準じてトラックの検索を行う場合には、上記した「重要度管理情報」を参照して、回転操作の行われたジョグダイヤル６０４の回転ステップ数に従って設定された或るトラックナンバ範囲内で最も重要度の高いトラックナンバを選択するようにされるものである。
【０１７２】
例えば、ＭＤフォーマットにあっては、最大で２５６トラックまでの比較的多数のトラックを管理して記録再生可能とされている。そこで、ＭＤプレーヤにおけるトラックの選択に、本実施の形態としてのファイル検索の構成を適用すれば、１枚のディスクに相当多数のトラックが記録されたような場合でも、設定した重要度に基づいて、目的のトラックを正確に検索できる確率が高くなるものである。
【０１７３】
なお、この変形例２に準じて、例えば据え置き型のＭＤプレーヤ／レコーダに対して本実施の形態のファイル検索を適用することはもちろん可能であるし、また、他の種類のディスクに対応するディスクドライブ装置などにも適用可能である。
【０１７４】
また、本発明としては、例えば各種データファイルをハードディスクや内部メモリなどの等の記録媒体に保存しているようなパーソナルコンピュータにも適用が可能とされる。
一例として、いわゆるＰＤＡ(Personal Digital Assistant)といわれるモバイル用の携帯型パーソナルコンピュータなどにジョグダイヤルを備えるようにする。そして、内部の記憶媒体に記憶されているデータ、例えばスケジューラ等のアプリケーションによって作成した日時ごとの予定のファイルなどに重要度を与えるようにして、ジョグダイヤルによってこのファイルを検索できるようにするといった構成も考えられるものである。
【０１７５】
【発明の効果】
以上説明したように本発明は、ジョグダイヤル（回転式ダイヤル操作子）に対する回転操作が、少なくとも、所定時間長以内に行われたとされる条件が得られた場合には、このときの操作によって得られた回転ステップ数に基づいて設定されたファイルナンバ範囲のなかで最も重要度が高いとされるファイルナンバを選択するようにされる。
これにより、例えばユーザが頻繁に使用するようなファイルであれば、ジョグダイヤルを適当に回転操作したとしても、少ない操作回数で目的のファイルが正確に検索される可能性が非常に高くなるものであり、機器の使い勝手が向上されるものである。
【０１７６】
そして、例えば本発明が対応するファイルとしては、動画像又は静止画像等をファイルとして記録した画像ファイルであったり、若しくは、音声信号をファイルとして記録した音声ファイルであるとして、上記構成によるファイル検索装置を適用することで、例えば実際には、画像ファイルについての記録再生を行う記録再生装置（ビデオデッキやビデオカメラ等）、又は所定種類の記録媒体に対応するデジタルオーディオ機器におけるファイル検索操作の操作性を向上させることができる。
更には、本発明が対応するファイルとしては、例えばパーソナルコンピュータなどで処理可能な所定種類のデータファイルなどとして本発明としてのファイル検索装置を適用すれば、手軽な操作で、比較的正確にファイルを検索することができるものであり、特に、携帯用のパーソナルコンピュータ等には有用と成り得るものである。
【０１７７】
また、電話装置に対して上記したファイル検索装置としての構成を備え、
このファイル検索装置によって、重要度が与えられた電話番号のリストに対する検索を行うように構成すれば、電話番号を呼び出すための操作性が向上されることになる。
【０１７８】
そして、上記電話番号のリストとしてのファイルに与える重要度については、発信のために使用された頻度に基づいて設定するようにすれば、実際の電話装置の使用形態に適った重要度が自動的に得られるものであり、例えば、特にユーザにとっては、重要度を設定する操作を行うといったわずらわしさから開放されるものである。
【図面の簡単な説明】
【図１】本発明の実施の形態のビデオカメラに対応するディスクのトラック構造を示す説明図である。
【図２】実施の形態のビデオカメラに対応するディスクのトラック部分を拡大して示す説明図である。
【図３】実施の形態のビデオカメラに対応するディスクの仕様を示す説明図である。
【図４】実施の形態のビデオカメラの内部構成のブロック図である。
【図５】実施の形態のビデオカメラのメディアドライブ部の内部構成のブロック図である。
【図６】実施の形態のビデオカメラの側面図、平面図、及び背面図である。
【図７】実施の形態に対応するディスク内のデータ構造例を示す概念図である。
【図８】本実施の形態のビデオカメラにおけるサムネイル表示の基本的表示形態例を示す説明図である。
【図９】本実施の形態の重要度対応テーブルのデータ構造例を示す説明図である。
【図１０】本実施の形態のファイル検索の動作手順を示す説明図である。
【図１１】本実施の形態のファイル検索動作に対応するサムネイル表示の状態遷移例を示す説明図である。
【図１２】本実施の形態のファイル検索動作を実現するためのフローチャートである。
【図１３】本実施の形態の第１の変形例である携帯電話の外観を示す斜視図である。
【図１４】第１の変形例に対応する電話帳テーブルとしてのデータ構造例を示す説明図である。
【図１５】本実施の形態の第２の変形例であるＭＤプレーヤの外観を示す斜視図である。
【符号の説明】
１  レンズブロック、２  カメラブロック、３  ビデオ信号処理部、４  メディアドライブ部、５  デッキ部、６  表示／画像／音声入出力部、６Ａ  表示部、７  操作部、８  外部インターフェイス、９  電源ブロック、１１  光学系、１２  モータ部、２２  サンプルホールド／ＡＧＣ回路、２３  Ａ／Ｄコンバータ、２４  タイミングジェネレータ、２５  カメラコントローラ、３１  データ処理／システムコントロール回路、３２  バッファメモリ、３３  ビデオ信号処理回路、３４  メモリ、３５  動き検出回路、３６  メモリ、３７  音声圧縮エンコーダ／デコーダ、３８  ビデオコントローラ、４１  ＭＤ−ＤＡＴＡ２エンコーダ／デコーダ、４２  バッファメモリ、４３  二値化回路、４４  ＲＦ信号処理回路、４５  サーボ回路、４６  ドライバコントローラ、５１  ディスク、５２  スピンドルモータ、５３  光学ヘッド、５４  磁気ヘッド、５５  スレッドモータ、６１  ビデオＤ／Ａコンバータ、６２  表示コントローラ、６３  コンポジット信号処理回路、６４  Ａ／Ｄコンバータ、６５  Ｄ／Ａコンバータ、６６  アンプ、１０１  ＲＦアンプ、１０３  ＡＧＣ／クランプ回路、１０４  イコライザ／ＰＬＬ回路、１０５  ビタビデコーダ、１０６  ＲＬＬ（１，７）復調回路、１０７  マトリクスアンプ、１０８  ＡＤＩＰバンドパスフィルタ、１０９  Ａ／Ｂトラック検出回路、１１０  ＡＤＩＰデコーダ、１１１  ＣＬＶプロセッサ、１１２  サーボプロセッサ、１１３  サーボドライバ、１１４  データバス、１１５  スクランブル／ＥＤＣエンコード回路、１１６  ＥＣＣ処理回路、１１７  デスクランブル／ＥＤＣデコード回路、１１８  ＲＬＬ（１，７）変調回路、１１９  磁気ヘッド駆動回路、１２０  レーザドライバ、１２１  転送クロック発生回路、２０１  カメラレンズ、２０２マイクロフォン、２０３ディスクスロット、２０４  ビューファインダ、２０５  スピーカ、３００  メインダイヤル、３０１  レリーズキー、３０４  ズームキー、３０５  イジェクトキー、３０６  再生キー、３０７  停止キー、３０８，３０９  サーチキー、３１０  十字／クリックキー、３１１  ジョグダイヤル、４０１  サムネイル画像、４０２  ポインタ、４０３  重要指定マーク、５００  携帯電話、５０１本体、５０２  表示部、５０３  操作キー部、５０４  ダイヤル操作指示部、５０５  ジョグダイヤル、６００  可搬型ＭＤプレーヤ、６０１ａ  蓋部、６０１  本体、６０２  表示部、６０３  操作部、６０４  ジョグダイヤル、Ｌｄ  ランド、ＮＷＧ  ノンウォブルドグルーブ、ＷＧ  ウォブルドグルーブ、Ｔｒ・Ａ，Ｔｒ・Ｂ  トラック
【図１】
0004423698.tif 000006
【図２】
0004423698.tif 000007
【図３】
0004423698.tif 000008
【図４】
0004423698.tif 000009
【図５】
0004423698.tif 000010
【図６】
0004423698.tif 000011
【図７】
0004423698.tif 000012
【図８】
0004423698.tif 000013
【図９】
0004423698.tif 000014
【図１０】
0004423698.tif 000015
【図１１】
0004423698.tif 000016
【図１２】
0004423698.tif 000017
【図１３】
0004423698.tif 000018
【図１４】
0004423698.tif 000019
【図１５】
0004423698.tif 000020